(57)【要約】      （修正有）【課題】自己免疫疾患であるシェーグレン病の自己抗原ＳＳ−Ｎ全体のアミノ酸配列およびそれをコードするｃＤＮＡの塩基配列を明らかにし、免疫系に関与する新規なＡＢＣトランスポーターを提供すること。【解決手段】特定のアミノ酸配列に対して、１以上のアミノ酸が欠失、付加、置換および／または挿入されたアミノ酸配列からなり、ＡＴＰ結合カセットトランスポーターＡ７活性を有するスプライシング・バリアントであるポリペプチド。【選択図】      なし【特許請求の範囲】
【請求項１】
配列番号３または６に記載のアミノ酸配列からなるポリペプチド。
【請求項２】
配列番号３または６に記載のアミノ酸配列に対して、１以上のアミノ酸が欠失、付加、置換および／または挿入したアミノ酸配列からなり、配列番号９に記載のアミノ酸配列を含み、かつトランスポーター活性を有するポリペプチド。
【請求項３】
請求項１または２に記載のポリペプチドをコードするポリヌクレオチド。
【請求項４】
配列番号１、２、４または５のいずれかに記載の塩基配列からなるポリヌクレオチド。
【請求項５】
配列番号９に記載のアミノ酸配列をコードする塩基配列を含み、配列番号２または５に記載の塩基配列と相補的な配列からなるポリヌクレオチドとストリンジェントな条件下でハイブリダイズし、かつトランスポーター活性を有するポリペプチドをコードするポリヌクレオチド。
【請求項６】
ポリヌクレオチドがＤＮＡである請求項３から５の何れかに１項に記載のポリヌクレオチド。
【請求項７】
請求項３から６の何れか１項に記載のポリヌクレオチドをベクターに組み込んで得られる組換えベクター。
【請求項８】
請求項７に記載の組換えベクターを宿主細胞に導入して得られる形質転換体。
【請求項９】
請求項８に記載の形質転換体を培地で培養し、培養物中に請求項１または２に記載のポリペプチドを生成蓄積させ、該培養物から該ポリペプチドを採取することを特徴とする、請求項１または２に記載のポリペプチドの製造方法。
【請求項１０】
配列番号８に記載の塩基配列と相補的な配列の全部または一部からなるポリヌクレオチド断片。
【請求項１１】
請求項１０に記載のポリヌクレオチド断片を用いて、請求項３から５の何れかに記載のポリヌクレオチドを検出または定量する方法。
【請求項１２】
請求項３、４または５に記載のポリヌクレオチドの塩基配列中または該塩基配列と相補的な配列中の、それぞれ連続した５〜６０塩基の配列と同じ配列を有するオリゴヌクレオチドまたはその誘導体。
【請求項１３】
配列番号２１または２２に記載の塩基配列からなる請求項１２に記載のオリゴヌクレオチドまたはその誘導体。
【請求項１４】
請求項１２または１３に記載のオリゴヌクレオチドまたはその誘導体を用いて、請求項３から５の何れか１項に記載のポリヌクレオチドを検出または定量する方法。
【請求項１５】
自己免疫疾患、シェーグレン病、炎症性疾患、脂質代謝の異常疾患、動脈硬化の診断のために行う、請求項１１または１４に記載の方法。
【請求項１６】
請求項１２または１３に記載のオリゴヌクレオチドまたはその誘導体を用いて、請求項１または２に記載のポリペプチドの発現を抑制する方法。
【請求項１７】
請求項１または２に記載のポリペプチドを認識する抗体。
【請求項１８】
配列番号２５に記載のアミノ酸配列からなるポリペプチドを認識せず、請求項１または２に記載のポリペプチドを認識する抗体。
【請求項１９】
配列番号９に記載のアミノ酸配列を有する領域を認識する抗体である、請求項１７または１８に記載の抗体。
【請求項２０】
請求項１または２に記載のポリペプチドのトランスポーター活性を阻害する、請求項１７から１９の何れか１項に記載の抗体。
【請求項２１】
請求項１７から２０のいずれか１項に記載の抗体を用いて請求項１または２に記載のポリペプチドを検出あるいは定量する方法。
【請求項２２】
細胞内に請求項１または２に記載のポリペプチドと被験物質とを共存させ、被験物質を共存させない場合よりも共存させた場合に該ポリペプチドのトランスポーター活性が低下する被験物質を選択することを特徴とする、ＡＢＣＡ−ＳＳＮの阻害剤のスクリーニング方法。
【請求項２３】
請求項２２に記載のスクリーニング方法により得られるＡＢＣＡ−ＳＳＮの阻害剤。
【請求項２４】
請求項１または２に記載のポリペプチドを含有する医薬。
【請求項２５】
請求項１２または１３に記載のオリゴヌクレオチドまたはその誘導体を含有する医薬。
【請求項２６】
請求項１７から２０のいずれか１項に記載の抗体を含有する医薬。
【請求項２７】
自己免疫疾患、シェーグレン病、炎症性疾患、脂質代謝の異常疾患、動脈硬化の予防または治療薬である請求項２４から２６のいずれか１項に記載の医薬。
【請求項２８】
自己免疫疾患、シェーグレン病、炎症性疾患、脂質代謝の異常疾患、動脈硬化の診断薬である請求項２４から２７のいずれか１項に記載の医薬。
【発明の詳細な説明】
【０００１】
【発明の属する技術分野】
本発明はＡＴＰ結合カセットトランスポーターＡ７（ＡＴＰ−ｂｉｎｄｉｎｇ  ｃａｓｓｅｔｔｅ  ｔｒａｎｓｐｏｒｔｅｒ  Ａ７、以下ＡＢＣＡ７と称する。）スプライシングバリアントのポリペプチド、該ポリペプチドをコードするポリヌクレオチド、該ポリヌクレオチドを含む組換えベクター、該ベクターを導入して得られる形質転換体および該ＡＢＣＡ−ＳＳＮポリペプチドの製造方法、該ポリペプチドを認識する抗体、該ポリヌクレオチドの配列または相補的な配列の一部の配列を有するオリゴヌクレオチドに関する。本発明はまた、該ポリペプチド、該オリゴヌクレオチドおよび該抗体の利用方法、例えば、該ポリペプチド、該オリゴヌクレオチドまたは該抗体を含む医薬に関する。
【０００２】
【従来の技術】
ＡＴＰ結合カセット（ＡＴＰ−ｂｉｎｄｉｎｇ  ｃａｓｓｅｔｔｅ）トランスポーター（以下ＡＢＣトランスポーターとする。）ファミリーは、数回細胞膜を貫通する疎水性ドメイン２つと、ファミリー内で保存性の高いＡＴＰと結合するＡＴＰ結合ドメイン２つを有する構造の特徴をもち、細胞における種々の物質のトランスポーターやチャンネルとして機能している蛋白質ファミリーである。
【０００３】
ＡＢＣＡ７は、最近報告されたＡＢＣＡ１と高い相同性を有するＡＢＣトランスポーターである［Ｋａｍｉｎｓｋｉ  ＷＥ  ｅｔ  ａｌ．，  Ｂｉｏｃｈｅｍ．  Ｂｉｏｐｈｙｓ．  Ｒｅｓ．  Ｃｏｍｍｕｎ．  ２７３，  ５３２  （２０００）］。ＡＢＣＡ１が、家族性低密度リポ蛋白欠乏症やタンジェール病の原因遺伝子であり［Ｂｏｄｚｉｏｃｈ  Ｍ  ｅｔ  ａｌ．，  Ｎａｔ．  Ｇｅｎｅｔ．  ２２，  ３４７  （１９９９）；Ｂｒｏｏｋｓ−Ｗｉｌｓｏｎ  Ａ  ｅｔ  ａｌ．，  Ｎａｔ．  Ｇｅｎｅｔ．  ２２，  ３３６  （１９９９）；Ｒｕｓｔ  Ｓ  ｅｔ  ａｌ．，  Ｎａｔ．  Ｇｅｎｅｔ．  ２２，  ３５２  （１９９９）］、コレステロールやリン脂質のトランスポーターとして機能していると考えられていること［Ｏｒａｍ  Ｊ  ｅｔ  ａｌ．，  Ｊ．Ｂｉｏｌ．  Ｃｈｅｍ．  ２７５，  ３４５０８  （２０００）；Ｗａｎｇ  Ｎ  ｅｔ  ａｌ．，  Ｊ．Ｂｉｏｌ．  Ｃｈｅｍ．  ２７５，  ３３０５３  （２０００）；Ｒｅｐａ  ＪＪ  ｅｔ  ａｌ．，Ｓｃｉｅｎｃｅ  ２８９，  １５２４  （２０００）］、マクロファージにアセチル化ＬＤＬを添加するとＡＢＣＡ７の発現量が増加し、ＨＤＬの添加によりその増加がもとに戻ること［Ｋａｍｉｎｓｋｉ  ＷＥ  ｅｔ  ａｌ．，  Ｂｉｏｃｈｅｍ．  Ｂｉｏｐｈｙｓ．  Ｒｅｓ．  Ｃｏｍｍｕｎ．  ２７３，  ５３２  （２０００）］から、ＡＢＣＡ７のコレステロールの輸送への関与も考えられているが、その機能はいまだ不明である。ＡＢＣＡ７のｍＲＮＡレベルでの発現は、胸腺、脾臓、リンパ節、骨髄、末梢白血球などの免疫系の組織に多く、わずかに肺、膵臓、肝臓でも発現していることが報告されている［Ｋａｍｉｎｓｋｉ  ＷＥ  ｅｔ  ａｌ．，  Ｂｉｏｃｈｅｍ．  Ｂｉｏｐｈｙｓ．  Ｒｅｓ．  Ｃｏｍｍｕｎ．  ２７３，  ５３２  （２０００）］。またＡＢＣＡ７遺伝子のゲノム配列も報告されており、ＡＢＣＡ７遺伝子は約３２ｋｂの領域に渡る４６のエキソンからなり、第１９染色体上にあることが報告されている［Ｋａｍｉｎｓｋｉ  ＷＥ  ｅｔ  ａｌ．，  Ｂｉｏｃｈｅｍ．  Ｂｉｏｐｈｙｓ．  Ｒｅｓ．  Ｃｏｍｍｕｎ．  ２７８，  ７８２  （２０００）］。
【０００４】
一方、自己免疫疾患であるシェーグレン病の患者血清と反応する自己抗原のｃＤＮＡとして、ＳＳ−Ｎ  ｃＤＮＡ（４７６ｂｐ）が塩基配列データベースＧｅｎＢａｎｋに登録されている（ＧｅｎＢａｎｋアクセス番号：ＡＦ１４０３４２）が、部分ｃＤＮＡであり、ＳＳ−Ｎ全体の構造は不明だった。
【０００５】
【発明が解決しようとする課題】
本発明は、シェーグレン病の自己抗原ＳＳ−Ｎ全体のアミノ酸配列およびそのｃＤＮＡの塩基配列を明らかにし、免疫系に関与する新規なＡＢＣトランスポーターを提供することを解決すべき課題とした。
【０００６】
【課題を解決するための手段】
本発明者は、ＳＳ−Ｎ  ｃＤＮＡがコードするアミノ酸配列がＡＢＣＡ１のＮ末部分と高い相同性を有することを見出し、ＳＳ−Ｎ  ｃＤＮＡ全長がコードする新規なＡＢＣトランスポーターのｃＤＮＡを取得した。その結果、得られたｃＤＮＡは、報告されているＡＢＣＡ７  ｃＤＮＡとは同じ遺伝子の産物で配列の異なるオルタナティブ・スプライシング（ａｌｔｅｒｎａｔｉｖｅ  ｓｐｌｉｃｉｎｇ）により生ずるスプライシング・バリアント（ｓｐｌｉｃｉｎｇ  ｖａｒｉａｎｔ）であり、得られたｃＤＮＡがコードするポリペプチドのアミノ酸配列のＮ末端は、報告されているＡＢＣＡ７ポリぺプチドのＮ末端配列とは異なることを見出した。さらに胸腺等の免疫系の組織で主に発現しているのは、報告されているＡＢＣＡ７でなく本発明で得られたスプライシング・バリアントの方であることを見出した。
すなわち、本発明は以下の（１）〜（２８）の発明に関する。
【０００７】
（１）  配列番号３または６に記載のアミノ酸配列からなるポリペプチド。
（２）  配列番号３または６に記載のアミノ酸配列に対して、１以上のアミノ酸が欠失、付加、置換および／または挿入したアミノ酸配列からなり、配列番号９に記載のアミノ酸配列を含み、かつトランスポーター活性を有するポリペプチド。
【０００８】
（３）  （１）または（２）に記載のポリペプチドをコードするポリヌクレオチド。
（４）  配列番号１、２、４または５のいずれかに記載の塩基配列からなるポリヌクレオチド。
（５）  配列番号９に記載のアミノ酸配列をコードする塩基配列を含み、配列番号２または５に記載の塩基配列と相補的な配列からなるポリヌクレオチドとストリンジェントな条件下でハイブリダイズし、かつトランスポーター活性を有するポリペプチドをコードするポリヌクレオチド。
（６）  ポリヌクレオチドがＤＮＡである（３）から（５）の何れかに記載のポリヌクレオチド。
【０００９】
（７）  （３）から（６）の何れかに記載のポリヌクレオチドをベクターに組み込んで得られる組換えベクター。
（８）  （７）に記載の組換えベクターを宿主細胞に導入して得られる形質転換体。
（９）  （８）に記載の形質転換体を培地で培養し、培養物中に（１）または（２）に記載のポリペプチドを生成蓄積させ、該培養物から該ポリペプチドを採取することを特徴とする、（１）または（２）に記載のポリペプチドの製造方法。
【００１０】
（１０）  配列番号８に記載の塩基配列と相補的な配列の全部または一部からなるポリヌクレオチド断片。
（１１）  （１０）に記載のポリヌクレオチド断片を用いて、（３）から（５）の何れかに記載のポリヌクレオチドを検出または定量する方法。
（１２）  （３）、（４）または（５）に記載のポリヌクレオチドの塩基配列中または該塩基配列と相補的な配列中の、それぞれ連続した５〜６０塩基の配列と同じ配列を有するオリゴヌクレオチドまたはその誘導体。
（１３）  配列番号２１または２２に記載の塩基配列からなる（１２）に記載のオリゴヌクレオチドまたはその誘導体。
【００１１】
（１４）  （１２）または（１３）に記載のオリゴヌクレオチドまたはその誘導体を用いて、（３）から（５）の何れかに記載のポリヌクレオチドを検出または定量する方法。
（１５）  自己免疫疾患、シェーグレン病、炎症性疾患、脂質代謝の異常疾患、動脈硬化の診断のために行う、（１１）または（１４）に記載の方法。
（１６）  （１２）または（１３）に記載のオリゴヌクレオチドまたはその誘導体を用いて、（１）または（２）に記載のポリペプチドの発現を抑制する方法。
【００１２】
（１７）  （１）または（２）に記載のポリペプチドを認識する抗体。
（１８）  配列番号２５に記載のアミノ酸配列からなるポリペプチドを認識せず、（１）または（２）に記載のポリペプチドを認識する抗体。
（１９）  抗体が、配列番号９に記載のアミノ酸配列を有する領域を認識する抗体である、（１７）または（１８）に記載の抗体。
（２０）  （１）または（２）に記載のポリペプチドのトランスポーター活性を阻害する、（１７）から（１９）の何れかに記載の抗体。
【００１３】
（２１）  （１７）から（２０）のいずれかに記載の抗体を用いて（１）または（２）に記載のポリペプチドを検出あるいは定量する方法。
（２２）  細胞内に（１）または（２）に記載のポリペプチドと被験物質とを共存させ、被験物質を共存させない場合よりも共存させた場合に該ポリペプチドのトランスポーター活性が低下する被験物質を選択することを特徴とする、ＡＢＣＡ−ＳＳＮの阻害剤のスクリーニング方法。
（２３）  （２２）に記載のスクリーニング方法により得られるＡＢＣＡ−ＳＳＮの阻害剤。
【００１４】
（２４）  （１）または（２）に記載のポリペプチドを含有する医薬。
（２５）  （１２）または（１３）に記載のオリゴヌクレオチドまたはその誘導体を含有する医薬。
（２６）  （１７）から（２０）のいずれかに記載の抗体を含有する医薬。
（２７）  自己免疫疾患、シェーグレン病、炎症性疾患、脂質代謝の異常疾患、動脈硬化の予防または治療薬である（２４）から（２６）のいずれかに記載の医薬。
（２８）  自己免疫疾患、シェーグレン病、炎症性疾患、脂質代謝の異常疾患、動脈硬化の診断薬である（２４）から（２７）のいずれかに記載の医薬。
【００１５】
【発明の実施の形態】
本発明のポリペプチドは、下記のいずれかのアミノ酸配列からなることを特徴とする。
（Ａ）配列番号３または６に記載のアミノ酸配列：または
（Ｂ）配列番号３または６に記載のアミノ酸配列に対して、１以上のアミノ酸が欠失、付加、置換および／または挿入したアミノ酸配列からなり、配列番号９に記載のアミノ酸配列を含み、かつトランスポーター活性を有するポリペプチド。
【００１６】
本発明のポリペプチドの由来は特に限定されず、天然由来のポリペプチドでも、組み換え遺伝子技術を用いて産生した組み換えポリペプチドでも、化学合成したポリペプチドのいずれでもよい。比較的簡単に大量のポリペプチドを入手できるという観点からは、組み換えポリペプチドが好ましい。
配列番号３または６に記載のアミノ酸配列からなるポリペプチドは、本明細書に開示した配列番号３または６に記載のアミノ酸配列の配列情報に基づいて、当業者であれば容易に製造することができる。これらの詳細は、本明細書中の以下の１．および２．に記載されている通りである。
【００１７】
配列番号３または６に記載のアミノ酸配列に対して、１以上のアミノ酸が欠失、付加、置換および／または挿入したアミノ酸配列からなり、配列番号９に記載のアミノ酸配列を含み、かつトランスポーター活性を有するポリペプチドは、以下に示す方法で該ポリペプチドをコードするポリヌクレオチドをまず取得し、本明細書中以下の２．に示す遺伝子組換え技術を利用した方法、すなわち該ポリヌクレオチドを含む発現用ベクターを宿主細胞に導入して得られた形質転換体を培養した培養物より取得することができる。
【００１８】
該ポリペプチドをコードするポリヌクレオチドは、Ｚｏｌｌｅｒ  ＭＪ  ＆  Ｓｍｉｔｈ  Ｍ，  Ｎｕｃｌｅｉｃ  Ａｃｉｄｓ  Ｒｅｓ．  １０，  ６４８７  （１９８２）、Ｄａｌｂａｄｉｅ−ＭｃＦａｒｌａｎｄ  Ｇ  ｅｔ  ａｌ．，  Ｐｒｏｃ．  Ｎａｔｌ．  Ａｃａｄ．  Ｓｃｉ．  ＵＳＡ  ７９，  ６４０９  （１９８２）、Ｗｅｌｌｓ  ＪＡ  ｅｔ  ａｌ．，  Ｇｅｎｅ  ３４，  ３１５  （１９８５）、Ｃａｒｔｅｒ  Ｐ  ｅｔ  ａｌ．，  Ｎｕｃｌｅｉｃ  Ａｃｉｄｓ  Ｒｅｓ．  １３，  ４４３１  （１９８５）、Ｋｕｎｋｅｌ  ＴＡ，  Ｐｒｏｃ．  Ｎａｔｌ．  Ａｃａｄ．  Ｓｃｉ．  ＵＳＡ  ８２，  ４８８  （１９８５）等に記載の部位特異的変異導入法を用いて、例えば、配列番号３または６に記載のアミノ酸配列からなるポリペプチドをコードするポリヌクレオチドに部位特異的変異を導入することにより、取得することができる。
【００１９】
また目的の変異（欠失、付加、置換および／または挿入）を導入した配列をそれぞれの５’端に持つ１組のプライマーを用いたＰＣＲ［Ｈｏ  ＳＮ  ｅｔ  ａｌ．，  Ｇｅｎｅ  ７７，  ５１  （１９８９）］によっても、配列番号３または６に記載のアミノ酸配列からなるポリペプチドをコードするポリヌクレオチドに変異を導入することができる。すなわち、まず該ポリヌクレオチドの５’端に対応するセンスプライマーと、５’端に変異の配列と相補的な配列を有する、変異導入部位の直前（５’側）の配列に対応するアンチセンスプライマーで該ポリヌクレオチドを鋳型にしてＰＣＲを行い、該ポリヌクレオチドの５’端から変異導入部位までの断片Ａ（その３’端に変異が導入されている）を増幅する。次いで、５’端に変異の配列を有する、変異導入部位の直後（３’側）の配列に対応するセンスプライマーと、該ポリヌクレオチドの３’端に対応するアンチセンスプライマーで該ＤＮＡを鋳型にしてＰＣＲを行い、５’端に変異が導入された該ポリヌクレオチドの変異導入部位から３’端までの断片Ｂを増幅する。これらの増幅断片同士精製後、混合して鋳型やプライマーを加えずにＰＣＲを行うと、増幅断片Ａのセンス鎖と増幅断片Ｂのアンチセンス鎖は変異導入部位が共通しているのでハイブリダイズし、プライマー兼鋳型としてＰＣＲの反応が進行し、変異が導入された該ポリヌクレオチドが増幅する。
【００２０】
また欠失変異体の一種である配列番号３または６に記載のアミノ酸配列からなるポリペプチドの部分断片をコードするポリヌクレオチドは、該ポリペプチドをコードするポリヌクレオチド中の作製したい部分断片をコードする領域の５’端の塩基配列と一致する配列を有するオリゴヌクレオチドおよび３’端の塩基配列と相補的な配列を有するオリゴヌクレオチドをプライマーとして用いて、該ポリペプチドをコードするポリヌクレオチドを鋳型にしたＰＣＲを行うことにより取得できる。
【００２１】
欠失、付加、置換および／または挿入されるアミノ酸の数は特に限定されず、１以上の任意の数であればよいが、上記の部位特異的変異法やＰＣＲ等の周知の方法により欠失、付加、置換および／または挿入できる程度の数であることが好ましく、一般的には１個から１００個程度であり、好ましくは１から数十個、より好ましくは１〜２０個、さらに好ましくは１〜１０個、特に好ましくは１〜５個である。
【００２２】
また、本発明のポリペプチドがトランスポーター活性を有するためには、配列番号３または６に記載のアミノ酸配列との相同性がＢＬＡＳＴ［Ａｌｔｚｓｈｕｌ  ＳＦ  ｅｔ  ａｌ．，  Ｊ．Ｍｏｌ．Ｂｉｏｌ．  ２１５，  ４０３  （１９９０）］やＦＡＳＴＡ［Ｐｅａｒｓｏｎ  ＷＲ，  Ｍｅｔｈｏｄｓ  ｉｎ  Ｅｎｚｙｍｏｌｏｇｙ  １８３，  ６３  （１９９０）］等の解析プログラムでデフォルト（初期設定）のパラメーターを用いて計算したときに、少なくとも６０％以上、好ましくは７０％以上、より好ましくは８０％以上、さらに好ましくは９０％以上、特に好ましくは９５％以上、最も好ましくは９８％以上であることが好ましい。
ただし、本発明のポリペプチドには、公知のポリペプチドは含まれない。
【００２３】
本発明で言う「トランスポーター活性」とは、細胞膜上で特定の物質と結合し、該物質を、細胞の中から外へ輸送し排出する活性をいう。
【００２４】
配列番号３または６のアミノ酸配列に対して、１以上のアミノ酸が欠失、付加、置換および／または挿入したアミノ酸配列からなり、配列番号９のアミノ酸配列を含むポリペプチドが、トランスポーター活性を有するかどうかは、例えば、以下の方法により分析することができる。
先ず、後述する方法により組換え遺伝子技術を用いて該ポリペプチドを細胞膜上に発現させた細胞、好ましくは動物細胞を作製する。この細胞に対して、輸送すると考えられる物質、例えばコレステロールやリン脂質を、３Ｈや１４Ｃ等の放射性同位元素で標識したものを１０〜１００ｋＢｑ／ｍＬ程度の濃度で添加して、１６〜２４時間培養することにより、細胞に取り込ませる。培養後、細胞を洗浄し、輸送すると考えられる物質を含まない培地で６〜７２時間培養し、経時的に一定量の細胞および培地を採取し、その放射能を液体シンチレーションカウンター等の放射能測定器で測定する。細胞内に取り込まれた放射能量に対する培地中の放射能量の割合をトランスポーター活性として分析する。
【００２５】
本発明はまた、上記した本発明のポリペプチドをコードするポリヌクレオチドを提供するものである。本発明のポリペプチドをコードするポリヌクレオチドの具体例として、下記の何れかのポリヌクレオチドが挙げられる。
（Ａ）配列番号１、２、４または５のいずれかに記載の塩基配列からなるポリヌクレオチド：
（Ｂ）配列番号９に記載のアミノ酸配列をコードする塩基配列を含み、配列番号２または５に記載の塩基配列と相補的な配列からなるポリヌクレオチドとストリンジェントな条件下でハイブリダイズし、かつトランスポーター活性を有するポリペプチドをコードするポリヌクレオチド。
【００２６】
「ストリンジェントな条件下でハイブリダイズするポリヌクレオチド」とは、配列番号２または配列番号５に記載の塩基配列と相補的な配列からなるポリヌクレオチドをプローブとして、コロニー・ハイブリダイゼーション法、プラーク・ハイブリダイゼーション法あるいはサザンブロットハイブリダイゼーション法等を用いることにより得られるポリヌクレオチドを意味し、具体的には、コロニーあるいはプラーク由来のＤＮＡを固定化したフィルターを用いて、０．７〜１．０ｍｏｌ／ＬのＮａＣｌ存在下、６５℃でハイブリダイゼーションを行った後、０．１〜２倍濃度のＳＳＣ（ｓａｌｉｎｅ−ｓｏｄｉｕｍ  ｃｉｔｒａｔｅ）溶液（１倍濃度のＳＳＣ溶液の組成は、１５０ｍｍｏｌ／Ｌ塩化ナトリウム、１５ｍｍｏｌ／Ｌクエン酸ナトリウムよりなる）を用い、６５℃条件下でフィルターを洗浄することにより同定できるポリヌクレオチドをあげることができる。
【００２７】
ハイブリダイゼーションは、Ｓａｍｂｒｏｏｋ  Ｊ  ｅｔ  ａｌ．，  Ｍｏｌｅｃｕｌａｒ  Ｃｌｏｎｉｎｇ：  Ａ  Ｌａｂｏｒａｔｏｒｙ  Ｍａｎｕａｌ，  Ｓｅｃｏｎｄ  Ｅｄｉｔｉｏｎ，  Ｃｏｌｄ  Ｓｐｒｉｎｇ  Ｈａｒｂｏｒ  Ｌａｂｏｒａｔｏｒｙ  Ｐｒｅｓｓ  （１９８９）（以下、モレキュラー・クローニング第２版と略す）、Ａｕｓｂｅｌ  ＦＭ  ｅｔ  ａｌ．，  Ｃｕｒｒｅｎｔ  Ｐｒｏｔｏｃｏｌｓ  ｉｎ  Ｍｏｌｅｃｕｌａｒ  Ｂｉｏｌｏｇｙ，  Ｓｕｐｐｌｅｍｅｎｔ  １〜３８，  Ｊｏｈｎ  Ｗｉｌｅｙ  ＆  Ｓｏｎｓ  （１９８７−１９９７）、Ｇｌｏｖｅｒ  ＤＭ  ａｎｄ  Ｈａｍｅｓ  ＢＤ，  ＤＮＡ  Ｃｌｏｎｉｎｇ  １：  Ｃｏｒｅ  Ｔｅｃｈｎｉｑｕｅｓ，  Ａ  Ｐｒａｃｔｉｃａｌ  Ａｐｐｒｏａｃｈ，  Ｓｅｃｏｎｄ  Ｅｄｉｔｉｏｎ，  Ｏｘｆｏｒｄ  Ｕｎｉｖｅｒｓｉｔｙ  Ｐｒｅｓｓ  （１９９５）等の実験書に記載されている方法に準じて行うことができる。
【００２８】
ポリヌクレオチドが配列番号２または５に記載の塩基配列からなるポリヌクレオチドとストリンジェントな条件下でハイブリダイズし、かつトランスポーター活性を有するポリペプチドをコードするポリヌクレオチドであるためには、ＢＬＡＳＴやＦＡＳＴＡ等の解析プログラムでデフォルト（初期設定）のパラメーターを用いて計算したときに、配列番号２または５に記載の塩基配列と少なくとも８０％以上、好ましくは９０％以上、さらに好ましくは９５％以上、特に好ましくは９８％以上の相同性を有する塩基配列を有するポリヌクレオチドであることが望ましい。
【００２９】
ただし、本発明のポリヌクレオチドには、公知のポリヌクレオチドは含まれない。
本発明のポリヌクレオチドの核酸の種類としてはＤＮＡまたはＲＮＡを挙げることができる。また本発明のポリヌクレオチドは１本鎖でも２本鎖でもよく、両者が含まれる。
【００３０】
以下に本発明の実施方法および利用方法について詳細に説明する
１．本発明のポリヌクレオチドの調製
本発明のポリヌクレオチドとしてＡＢＣＡ−ＳＳＮ  全長ｃＤＮＡをあげることができる。なお、本明細書における全長ＡＢＣＡ−ＳＳＮ  ｃＤＮＡには、キャップ構造およびポリ（Ａ）鎖を有する完全長ＡＢＣＡ−ＳＳＮ  ｍＲＮＡに由来する完全長ＡＢＣＡ−ＳＳＮ  ｃＤＮＡの他に、ＡＢＣＡ−ＳＳＮ全体、すなわち配列番号３または６に記載のアミノ酸配列をコードするオープン・リーディング・フレーム（ＯＲＦ）を有するｃＤＮＡを全て含むものとする。全長ＡＢＣＡ−ＳＳＮ  ｃＤＮＡは以下のようにして調製することができる。
【００３１】
（１）ＡＢＣＡ−ＳＳＮ全長ｃＤＮＡの調製
ＡＢＣＡ−ＳＳＮのｃＤＮＡは塩基配列データベースに対し、ＢＬＡＳＴ等の相同性解析プログラムを用いて、ＳＳ−Ｎ  ｃＤＮＡ（ＧｅｎＢａｎｋアクセス番号：ＡＦ１４０３４２）の塩基配列と一致する配列を有する塩基配列を検索する。塩基配列データベースとしては、ＧｅｎＢａｎｋ等の公的なデータベースの他、本発明のように、あらかじめｃＤＮＡライブラリーを構築し、各クローンの塩基配列を決定して集積することにより作成した私的なデータベースも利用することができる。このような塩基配列としては、かずさＤＮＡ研究所の保有するヒト長鎖ｃＤＮＡクローンの塩基配列データベースから検索されたｃＤＮＡクローンｈｈ１０２１０の塩基配列、ＡＢＣＡ７の塩基配列（ＧｅｎＢａｎｋアクセス番号ＡＦ２５０２３８）をあげることができる。検索の結果得られた塩基配列のもととなったｃＤＮＡクローン、例えばｈｈ１０２１０を入手するか、または配列情報を利用したＰＣＲにより、ＡＢＣＡ−ＳＳＮ  ｃＤＮＡを得ることができる。
【００３２】
以下に、ｃＤＮＡライブラリーの作製法について述べる。ｃＤＮＡライブラリーを作製するために、適切な細胞または組織より全ＲＮＡあるいはｍＲＮＡを調製する。適切な細胞または組織として、ヒトの胸腺、マクロファージ、脾臓、脳などをあげることができる。全ＲＮＡを調製する方法としては、チオシアン酸グアニジン−トリフルオロ酢酸セシウム法［Ｍｅｔｈｏｄｓ  ｉｎ  Ｅｎｚｙｍｏｌｏｇｙ，  １５４，  ３  （１９８７）］、酸性グアニジンチオシアネート・フェノール・クロロホルム（ＡＧＰＣ）法［Ｃｈｏｍｃｚｙｎｓｋｉ  Ｐ  ａｎｄ  Ｓａｃｃｉ  Ｎ，  Ａｎａｌｙｔｉｃａｌ  Ｂｉｏｃｈｅｍｉｓｔｒｙ，  １６２，  １５６  （１９８７）、実験医学  ９，  １９３７  （１９９１）］等を用いることができる。全ＲＮＡからポリ（Ａ）＋ＲＮＡとしてｍＲＮＡを調製する方法として、オリゴ（ｄＴ）固定化セルロースカラム法（モレキュラー・クローニング第２版）やオリゴｄＴラテックスを用いる方法等を用いることができる。また、ファースト・トラック・ｍＲＮＡ単離キット［Ｆａｓｔ  Ｔｒａｃｋ  ｍＲＮＡ  Ｉｓｏｌａｔｉｏｎ  Ｋｉｔ；インビトロジェン（Ｉｎｖｉｔｒｏｇｅｎ）社製］、クイック・プレップ・ｍＲＮＡ精製キット［Ｑｕｉｃｋ  Ｐｒｅｐ  ｍＲＮＡ  Ｐｕｒｉｆｉｃａｔｉｏｎ  Ｋｉｔ；アマシャム・ファルマシア・バイオテク（Ａｍｅｒｓｈａｍ  Ｐｈａｒｍａｃｉａ  Ｂｉｏｔｅｃｈ）社製］等のキットを用いて組織や細胞から直接ｍＲＮＡを調製することもできる。
【００３３】
得られた全ＲＮＡあるいはｍＲＮＡを用い、常法によりｃＤＮＡライブラリーを作製する。ｃＤＮＡライブラリーの作製法としては、モレキュラー・クローニング第２版やＡｕｓｂｅｌ  ＦＭ  ｅｔ  ａｌ．，  Ｃｕｒｒｅｎｔ  Ｐｒｏｔｏｃｏｌｓ  ｉｎ  Ｍｏｌｅｃｕｌａｒ  Ｂｉｏｌｏｇｙ，  Ｓｕｐｐｌｅｍｅｎｔ  １〜３８，  Ｊｏｈｎ  Ｗｉｌｅｙ  ＆  Ｓｏｎｓ  （１９８７−１９９７）、Ｇｌｏｖｅｒ  ＤＭ  ａｎｄ  Ｈａｍｅｓ  ＢＤ，  ＤＮＡ  Ｃｌｏｎｉｎｇ  １：  Ｃｏｒｅ  Ｔｅｃｈｎｉｑｕｅｓ，  Ａ  Ｐｒａｃｔｉｃａｌ  Ａｐｐｒｏａｃｈ，  Ｓｅｃｏｎｄ  Ｅｄｉｔｉｏｎ，  Ｏｘｆｏｒｄ  Ｕｎｉｖｅｒｓｉｔｙ  Ｐｒｅｓｓ  （１９９５）、Ｏｈａｒａ  Ｏ  ｅｔ  ａｌ．，  ＤＮＡ  Ｒｅｓ．  ４，  ５３  （１９９７）等に記載された方法、あるいは市販のキット、例えばスーパースクリプト・プラスミド・システム・フォー・ｃＤＮＡ・シンセシス・アンド・プラスミド・クローニング［ＳＵＰＥＲＳＣＲＩＰＴ  Ｐｌａｓｍｉｄ  Ｓｙｓｔｅｍ  ｆｏｒ  ｃＤＮＡ  Ｓｙｎｔｈｅｓｉｓ  ａｎｄ  Ｐｌａｓｍｉｄ  Ｃｌｏｎｉｎｇ；ライフ・テクノロジーズ（Ｌｉｆｅ  Ｔｅｃｈｎｏｌｏｇｉｅｓ）社製］やザップ−ｃＤＮＡ  ・シンセシス・キット〔ＺＡＰ−ｃＤＮＡ  Ｓｙｎｔｈｅｓｉｓ  Ｋｉｔ、ストラタジーン（ＳＴＲＡＴＡＧＥＮＥ）社製〕を用いる方法等をあげることができる。
【００３４】
ｃＤＮＡライブラリーを作製するためのクローニングベクターとしては、大腸菌Ｋ１２株中で自立複製できるものであれば、ファージベクター、プラスミドベクター等いずれでも使用できる。
具体的には、ｐＢｌｕｅｓｃｒｉｐｔ  ＩＩ  ＳＫ（＋）［ストラタジーン社製；Ａｌｔｉｎｇ−Ｍｅｅｓ  ＭＡ  ａｎｄ  Ｓｈｏｒｔ  ＪＭ，  Ｎｕｃｌｅｉｃ  Ａｃｉｄｓ  Ｒｅｓ．  １７，  ９４９４  （１９８９）］、Ｌａｍｂｄａ  ＺＡＰ  ＩＩ（ストラタジーン社製）、λｇｔ１０、λｇｔ１１［Ｇｌｏｖｅｒ  ＤＭ，  ＤＮＡ  Ｃｌｏｎｉｎｇ，  Ａ  Ｐｒａｃｔｉｃａｌ  Ａｐｐｒｏａｃｈ，  １，  ４９  （１９８５）］等を挙げることができる。
【００３５】
宿主微生物としては、大腸菌Ｅｓｃｈｅｒｉｃｈｉａ ｃｏｌｉに属する微生物を用いることが好ましい。具体的には、Ｅｓｃｈｅｒｉｃｈｉａ ｃｏｌｉ  ＸＬ１−Ｂｌｕｅ  ＭＲＦ’（ストラタジーン社製）、Ｅｓｃｈｅｒｉｃｈｉａ ｃｏｌｉ  ＳＯＬＲＴＭ（ストラタジーン社製）、Ｅｓｃｈｅｒｉｃｈｉａ ｃｏｌｉ  ＤＨ１０Ｂ（ライフ・テクノロジーズ社）、Ｅｓｃｈｅｒｉｃｈｉａ ｃｏｌｉ  Ｙ１０８８［Ｙｏｕｎｇ  ＲＡ  ａｎｄ  Ｄａｖｉｓ  ＲＷ，  Ｓｃｉｅｎｃｅ  ２２２，  ７７８  （１９８３）］、Ｅｓｃｈｅｒｉｃｈｉａ ｃｏｌｉ  Ｙ１０９０［Ｙｏｕｎｇ  ＲＡ  ａｎｄ  Ｄａｖｉｓ  ＲＷ，  Ｓｃｉｅｎｃｅ  ２２２，  ７７８  （１９８３）］、Ｅｓｃｈｅｒｉｃｈｉａ ｃｏｌｉ  ＤＨ５α（ライフ・テクノロジーズ社）等を用いることができる。
【００３６】
上記方法により作製したｃＤＮＡライブラリーに加え、市販のｃＤＮＡライブラリーも利用することができる。市販のｃＤＮＡライブラリーとしては、クローンテック社、宝酒造株式会社等のヒト胸腺ｃＤＮＡライブラリーをあげることができる。
得られたｃＤＮＡの塩基配列は、アプライドバイオシステムズ（Ａｐｐｌｉｅｄ  Ｂｉｏｓｙｓｔｅｍｓ）社やアマシャム・ファルマシア・バイオテク社、ライコア（ＬＩ−ＣＯＲ）社製のＤＮＡシークエンサー（アプライドバイオシステムズ社製３７７など）やジデオキシ法［Ｓａｎｇｅｒ  Ｆ  ｅｔ  ａｌ．，  Ｐｒｏｃ．  Ｎａｔｌ．  Ａｃａｄ．  Ｓｃｉ．  ＵＳＡ，  ７４，  ５４６３  （１９７７）］により確認することができる。
【００３７】
また別法として、配列情報を利用したＰＣＲ［Ｍ．Ｊ．ＭｃＰｈｅｒｓｏｎ  ｔ  ａｌ．，  ＰＣＲ，  Ａ  ｐｒａｃｔｉｃａｌ  Ａｐｐｒｏａｃｈ，  Ｏｘｆｏｒｄ  Ｕｎｉｖｅｒｓｉｔｙ  Ｐｒｅｓｓ  （１９９１）］によりＡＢＣＡ−ＳＳＮ  ｃＤＮＡを得るには、まず、得られた塩基配列情報のもととなったｃＤＮＡクローンが単離された組織や細胞、例えばヒト胸腺、脾臓、脳、マクロファージなどから一本鎖ｃＤＮＡあるいは上記の方法でｃＤＮＡライブラリーを調製する。一本鎖ｃＤＮＡは、上記ｃＤＮＡライブラリーの作製法に記載した方法で全ＲＮＡを調製し、さらに必要に応じて、全ＲＮＡをデオキシリボヌクレアーゼＩ（ライフ・テクノロジーズ社製）で処理し、混入の可能性がある染色体ＤＮＡを分解する。得られた全ＲＮＡに対し、オリゴ（ｄＴ）プライマーまたはランダムプライマーを用いたＲＴ−ＰＣＲ用スーパースクリプト・ファースト・ストランド・システム（ＳＵＰＥＲＳＣＲＩＰＴ  Ｆｉｒｓｔ−Ｓｔｒａｎｄ  Ｓｙｎｔｈｅｓｉｓ  Ｓｙｓｔｅｍ  ｆｏｒ  ＲＴ−ＰＣＲ；ライフ・テクノロジーズ社）等のキットを利用することにより一本鎖ｃＤＮＡを作製する。次いで、ＡＢＣＡ−ＳＳＮ  ｃＤＮＡの塩基配列情報の５’端から１０〜３０塩基の配列を有するオリゴＤＮＡおよび３’端から１０〜３０塩基の配列と相補的な配列を有するオリゴＤＮＡをプライマーにして、該一本鎖ｃＤＮＡあるいは該ｃＤＮＡライブラリーをテンプレートにしたＰＣＲを行うことにより、ＡＢＣＡ−ＳＳＮ  ｃＤＮＡを増幅し単離することができる。オリゴＤＮＡはアプライドバイオシステムズ社のＡＢＩ３９２、ＡＢＩ３９４８等のＤＮＡ合成機で合成できる。また、ジェンセット（ＧＥＮＳＥＴ）社や宝酒造株式会社等に合成を依頼することもできる。
【００３８】
以上のようにして得られたＡＢＣＡ−ＳＳＮ  ｃＤＮＡが全長でないと考えられる場合は、上記と同様にして調製したヒト胸腺等のｃＤＮＡライブラリーをテンプレートにし、得られたＡＢＣＡ−ＳＳＮ  ｃＤＮＡの５’側の配列と相補的な配列を有するオリゴＤＮＡおよびライブラリーのクローニングサイトよりも５’側の配列を有するオリゴＤＮＡをプライマーとしてＰＣＲを行うことにより、最初に得られたｃＤＮＡより５’側のｃＤＮＡ断片を得ることができる。得られたＡＢＣＡ−ＳＳＮ  ｃＤＮＡの３’側の配列を有するオリゴＤＮＡおよびライブラリーのクローニングサイトより３’側の配列と相補的な配列を有するオリゴＤＮＡをプライマーとして同様に該ｃＤＮＡライブラリーをテンプレートにしてＰＣＲを行うことにより最初に得られたｃＤＮＡより３’側のｃＤＮＡ断片を得ることができる。あるいはヒト胸腺等よりｃＤＮＡを調製し、そのｃＤＮＡの両端にアダプターオリゴＤＮＡを付加し、このアダプターの塩基配列と最初に得られたｃＤＮＡの塩基配列に基づいたプライマーでＰＣＲを行う５’−ＲＡＣＥ（ｒａｐｉｄ  ａｍｐｌｉｆｉｃａｔｉｏｎ  ｏｆ  ｃＤＮＡ  ｅｎｄｓ）法および３’−ＲＡＣＥ法［Ｆｒｏｈｍａｎ  ＭＡ  ｅｔ  ａｌ．，  Ｐｒｏｃ．  Ｎａｔｌ．  Ａｃａｄ．  Ｓｃｉ．  ＵＳＡ，  ８５，  ８９９８  （１９８８）］によっても、プライマーに用いた配列よりも５’側および３’側のｃＤＮＡ断片を得ることができる。
【００３９】
このようにして得られた５’側あるいは３’側のｃＤＮＡ断片の塩基配列を最初に得られたｃＤＮＡと同様に決定することにより、ＡＢＣＡ−ＳＳＮ全体をコードするｃＤＮＡの塩基配列を明らかにすることができる。このようにして明らかになったＡＢＣＡ−ＳＳＮ  ｃＤＮＡの塩基配列として配列番号１または４に示す配列をあげることができる。これらの配列は、公知のＡＢＣＡ７  ｃＤＮＡの塩基配列に配列番号８に示す塩基配列が挿入されたスプライシング・バリアントである。このようにして明らかになったＡＢＣＡ−ＳＳＮ  ｃＤＮＡの塩基配列をアミノ酸に翻訳することにより、該ｃＤＮＡがコードするＡＢＣＡ−ＳＳＮのアミノ酸配列を明らかにすることができる。このようにして明らかになったＡＢＣＡ−ＳＳＮのアミノ酸配列として配列番号３または６に示す配列をあげることができる。また、ＡＢＣＡ−ＳＳＮをコードするポリヌクレオチドとしては、配列番号１、２、４または５のいずれかに記載の塩基配列を有するポリヌクレオチドをあげることができる。なお、ＡＢＣＡ−ＳＳＮ全体のアミノ酸配列をコードしていれば、ＡＢＣＡ−ＳＳＮをコードしている領域の各コドンの塩基配列はｃＤＮＡで用いられているコドンに限られるものではなく、同じアミノ酸をコードするあらゆるコドンの塩基配列を用いることができる。
【００４０】
上記で得られたｃＤＮＡを適当な制限酵素サイト等を利用してつなぎあわせるか、あるいは明らかになったＡＢＣＡ−ＳＳＮ全長ｃＤＮＡの５’側の配列を有するオリゴＤＮＡおよび３’側の配列塩基配列に基づいたプライマーを用いて、ＡＢＣＡ−ＳＳＮを発現している組織、たとえばヒト胸腺等から調製したｃＤＮＡあるいはｃＤＮＡライブラリーを鋳型としてＰＣＲを行うことによりＡＢＣＡ−ＳＳＮ全長ｃＤＮＡを調製することができる。また、このようにして得られたＡＢＣＡ−ＳＳＮ全長ｃＤＮＡを、適当なクローニングベクターにクローン化したＡＢＣＡ−ＳＳＮ全長ｃＤＮＡクローンを用いて大腸菌を形質転換し、該形質転換体大腸菌を培養し、そこからプラスミドＤＮＡを調製することにより、ＡＢＣＡ−ＳＳＮ全長ｃＤＮＡを調製することができる。
【００４１】
このようにして得られた配列番号２に記載の塩基配列からなるＤＮＡをベクターｐＣＲ２．１（ストラタジーン社製）に挿入したプラスミドであるｐＡＢＣＡ−ＳＳＮ／ＣＲ２．１は、平成１３年５月１５日付けで独立行政法人  産業技術総合研究所  特許微生物寄託センター（日本国茨城県つくば市東一丁目１番３号）にＦＥＲＭ  ＢＰ−７５８７として寄託されている。
あるいは、またＡＢＣＡ−ＳＳＮ全長ｃＤＮＡをその塩基配列に基づいて、上に記載したＤＮＡ合成機で化学合成することもできる。
【００４２】
（２）他の生物のＡＢＣＡ−ＳＳＮをコードするＤＮＡの取得
一般に同じ機能を持つ蛋白質は、生物種が異なった場合、同一ではないが相同性を示すアミノ酸配列を有する場合が多い。したがってその蛋白質をコードするＤＮＡも同様に相同性を示すと考えられる。また、生物の進化に伴い遺伝子の変異も進むため、その生物種が系統的に近いほど、その相同性は高いと考えられる。従って、（１）で得られたヒトＡＢＣＡ−ＳＳＮ  ｃＤＮＡあるいはその塩基配列情報を用いることにより、以下に示す方法で、他の哺乳類、例えばマウスのＡＢＣＡ−ＳＳＮ  ｃＤＮＡを取得することができる。このｃＤＮＡが全長ｃＤＮＡでない場合は、（１）と同様の方法を用いることにより全長ｃＤＮＡを得ることができる。
【００４３】
（２−１）ｃＤＮＡライブラリーのスクリーニング
ヒト以外の生物のＡＢＣＡ−ＳＳＮ  ｃＤＮＡクローンは、該生物における、ヒトＡＢＣＡ−ＳＳＮが発現しているのと同じ組織例えば胸腺、マクロファージ、脾臓、脳等の組織から（１）と同様にしてｃＤＮＡライブラリーを作製するか、そのような組織の市販のｃＤＮＡライブラリーを購入し、当該ｃＤＮＡライブラリーから、ヒトＡＢＣＡ−ＳＳＮ  ｃＤＮＡを放射性同位体やジギキシゲニン等で標識したものをプローブにして、ややストリンジェントな条件でコロニーハイブリダイゼーションやプラークハイブリダイゼーションを行なうことにより、取得することができる。ここでいうややストリンジェントな条件とは、ヒトＡＢＣＡ−ＳＳＮ  ｃＤＮＡと該生物のＡＢＣＡ−ＳＳＮ  ｃＤＮＡの相同性の程度によって異なるが、制限酵素切断した該生物の染色体ＤＮＡに対してヒトＡＢＣＡ−ＳＳＮ  ｃＤＮＡをプローブにして、ストリンジェントな度合いが異なるいくつかのハイブリダイズ条件でサザンブロットハイブリダイゼーションを行い、明確なバンドが見える条件のうち最もストリンジェントな条件を用いる。例えばホルムアミドを含まないハイブリダイズ液の場合、ハイブリダイズ液の組成は塩濃度を１ｍｏｌ／Ｌに固定し、ハイブリダイズ温度を６８℃〜４２℃で段階的に変えたいくつかの条件下でハイブリダイズを行い、ハイブリダイズと同じ温度で０．５％ドデシル硫酸ナトリウム（ＳＤＳ）を含む２×ＳＳＣで洗浄を行ってみて決める。あるいはホルムアミドを含むハイブリダイズ液の場合、温度４２℃と塩濃度（６×ＳＳＣ）を固定し、ホルムアミド濃度を５０〜０％で段階的に変えたいくつかの条件下でハイブリダイズを行い、５０℃で０．５％ＳＤＳを含む６×ＳＳＣで洗浄を行ってみて決める。
【００４４】
（２−２）ＥＳＴおよびゲノム塩基配列の利用
（１）で得られたヒトＡＢＣＡ−ＳＳＮ  ｃＤＮＡの塩基配列、特に蛋白質をコードしている領域と高い（具体的には８０％以上の）相同性をもつ該生物のＤＮＡの塩基配列をＧｅｎＢａｎｋ等の塩基配列データベースからＢＬＡＳＴ等の相同性プログラムを用いて検索することにより、該生物のＡＢＣＡ−ＳＳＮ  ｃＤＮＡ由来と推定されるＥＳＴあるいはＡＢＣＡ−ＳＳＮ遺伝子のエキソン部分を含むゲノムＤＮＡの塩基配列を見出すことができる。このような塩基配列として、ＧｅｎＢａｎｋアクセス番号ＡＦ２１３３９５やＢＢ４４６６８８、ＢＢ１２２３７８のマウスＥＳＴや部分ｃＤＮＡ配列をあげることができる。これらの配列のもととなったｃＤＮＡクローンを入手するか、これらの配列に基いたプライマーを作製し、ＡＢＣＡ−ＳＳＮが発現していると考えられる該生物の胸腺、マクロファージ、脾臓、脳等の組織から調製したＲＮＡから（１）と同様のＲＴ−ＰＣＲを行いＤＮＡ断片を増幅することにより、該生物のＡＢＣＡ−ＳＳＮ  ｃＤＮＡを得ることができる。またこのｃＤＮＡが全長でなくても、このｃＤＮＡをプローブして非常にストリンジェントな条件（例えば、６×ＳＳＣ−０．５％ＳＤＳ−５×デンハルト溶液を含む溶液中で６５℃でハイブリダイズさせ、２×ＳＳＣ−０．１％ＳＤＳで６５℃で洗浄する条件。）で該生物の胸腺、マクロファージ、脾臓、脳等の組織から調製したｃＤＮＡライブラリーを、コロニーハイブリダイゼーションやプラークハイブリダイゼーションなどによってスクリーニングすることにより、該生物のＡＢＣＡ−ＳＳＮ  ｃＤＮＡクローンを取得することができる。
【００４５】
（３）ＡＢＣＡ−ＳＳＮオリゴヌクレオチドの調製
（１）に記載のＤＮＡ合成機により、本発明のＡＢＣＡ−ＳＳＮポリヌクレオチドの一部の配列を有するオリゴヌクレオチドあるいはこれと相補的な塩基配列をもつオリゴヌクレオチド（以下、ＡＢＣＡ−ＳＳＮオリゴヌクレオチドと略記する）を調製することができる。
ＡＢＣＡ−ＳＳＮオリゴヌクレオチドとしては、具体的には、配列番号１または４に記載の塩基配列中の連続した１０〜６０塩基と同じ配列を有するＤＮＡまたは該ＤＮＡと相補的な配列を有するＤＮＡをあげることができる。これらのＤＮＡをセンスプライマーまたはアンチセンスプライマーとして用いる場合には、融解温度および塩基数が極端に変わることのないオリゴヌクレオチドが好ましい。
【００４６】
更に、これらオリゴヌクレオチドの誘導体（以下、オリゴヌクレオチド誘導体という）も本発明のオリゴヌクレオチドとして利用することができる。
該オリゴヌクレオチド誘導体としては、オリゴヌクレオチド中のリン酸ジエステル結合がホスフォロチオエート結合に変換されたオリゴヌクレオチド誘導体、オリゴヌクレオチド中のリン酸ジエステル結合がＮ３’−Ｐ５’ホスフォアミデート結合に変換されたオリゴヌクレオチド誘導体、オリゴヌクレオチド中のリボースとリン酸ジエステル結合がペプチド核酸結合に変換されたオリゴヌクレオチド誘導体、オリゴヌクレオチド中のウラシルがＣ−５プロピニルウラシルで置換されたオリゴヌクレオチド誘導体、オリゴヌクレオチド中のウラシルがＣ−５チアゾールウラシルで置換されたオリゴヌクレオチド誘導体、オリゴヌクレオチド中のシトシンがＣ−５プロピニルシトシンで置換されたオリゴヌクレオチド誘導体、オリゴヌクレオチド中のシトシンがフェノキサジン修飾シトシン（ｐｈｅｎｏｘａｚｉｎｅ−ｍｏｄｉｆｉｅｄ  ｃｙｔｏｓｉｎｅ）で置換されたオリゴヌクレオチド誘導体、オリゴヌクレオチド中のリボースが２’−ｏ−プロピルリボースで置換されたオリゴヌクレオチド誘導体、あるいはオリゴヌクレオチド中のリボースが２’−メトキシエトキシリボースで置換されたオリゴヌクレオチド誘導体等をあげることができる［横山和尚，  細胞工学，  １６，  １４６３  （１９９７）］。
【００４７】
２．ＡＢＣＡ−ＳＳＮポリペプチドの製造法
本発明のポリペプチドであるＡＢＣＡ−ＳＳＮポリペプチドは、モレキュラー・クローニング第２版、Ｇｌｏｖｅｒ  ＤＭ  ａｎｄ  Ｈａｍｅｓ  ＢＤ；ＤＮＡ  Ｃｌｏｎｉｎｇ  １：  Ｃｏｒｅ  Ｔｅｃｈｎｉｑｕｅｓ，  Ａ  Ｐｒａｃｔｉｃａｌ  Ａｐｐｒｏａｃｈ，  Ｓｅｃｏｎｄ  Ｅｄｉｔｉｏｎ，  Ｏｘｆｏｒｄ  Ｕｎｉｖｅｒｓｉｔｙ  Ｐｒｅｓｓ  （１９９５）等に記載された遺伝子組換え法により、１．で調製したＡＢＣＡ−ＳＳＮをコードするポリヌクレオチドを用いて製造することができる。
すなわち、ＡＢＣＡ−ＳＳＮをコードするポリヌクレオチドであるＡＢＣＡ−ＳＳＮをコードするＤＮＡ（以下、ＡＢＣＡ−ＳＳＮ  ＤＮＡと略す。）を適当な発現ベクターのプロモーター下流に挿入した組換え体ベクターを作製し、該ベクターを宿主細胞に導入することにより、ＡＢＣＡ−ＳＳＮポリペプチドを発現する形質転換体を取得し、該形質転換体を培養することにより、本発明のＡＢＣＡ−ＳＳＮポリペプチドを製造することができる。
【００４８】
発現ベクターとしては、宿主細胞において自律複製可能ないしは染色体中への組込が可能で、宿主細胞中でＡＢＣＡ−ＳＳＮ  ＤＮＡからｍＲＮＡを転写できるプロモーターを含有しているものが用いられる。
宿主細胞としては、原核生物、酵母、動物細胞、昆虫細胞、植物細胞等、目的とする遺伝子を発現できるものであればいずれも用いることができる。また、動物個体や植物個体を用いることができる。
【００４９】
細菌等の原核生物を宿主細胞として用いる場合は、発現ベクターは宿主原核生物中で自律複製可能であり、リボソーム結合配列を有するプロモーターの下流にＡＢＣＡ−ＳＳＮ  ＤＮＡが配置されたものを用いる。リボソーム結合配列と開始コドンとの間は適当な距離（例えば、大腸菌宿主のベクターの場合６〜１８塩基）に調節されていることが好ましい。必ずしも必要ではないが、ＡＢＣＡ−ＳＳＮ  ＤＮＡの直下に転写終結配列を配置する方が好ましい。また、形質転換体の選択のため、薬剤耐性遺伝子等のマーカーとなる遺伝子を発現する配列を含むようにする。
【００５０】
プロモーターとしては、宿主細胞中で発現できるものであればいかなるものでもよい。例えば大腸菌を宿主とした場合は、ｔｒｐプロモーター、ｌａｃプロモーター、ＰＬプロモーター、Ｔ７プロモーター、ＰＲプロモーター等の、大腸菌やファージ等に由来するプロモーター等をあげることができる。またｔｒｐプロモーターを２つ直列させたプロモーター、ｔａｃプロモーター、Ｔ７ｌａｃプロモーター、ｌｅｔＩプロモーターのように人為的に設計改変されたプロモーター等も用いることができる。枯草菌を宿主とした場合は、枯草菌のファージであるＳＰＯ１やＳＰＯ２のプロモーター、ＰｅｎＰプロモーター等をあげることができる。
【００５１】
発現ベクターとしては、例えば、ｐＳＥ２８０［インビトロジェン社製］、ｐＧＥＭＥＸ−１［プロメガ（Ｐｒｏｍｅｇａ）社製］、ｐＱＥ−８［キアゲン（ＱＩＡＧＥＮ）社製］、ｐＫＹＰ２００［Ｎｉｓｈｉ  Ｔ  ｅｔ  ａｌ．，  Ａｇｒｉｃ．  Ｂｉｏｌ．  Ｃｈｅｍ．  ４８，  ６６９  （１９８４）］、ｐＬＳＡ１［Ｎｉｓｈｉ  Ｔ  ｅｔ  ａｌ．，  Ａｇｒｉｃ．  Ｂｉｏｌ．  Ｃｈｅｍ．  ５３，  ２７７  （１９８９）］、ｐＧＥＬ１［Ｓｅｋｉｎｅ  Ｓ  ｅｔ  ａｌ．，  Ｐｒｏｃ．  Ｎａｔｌ．  Ａｃａｄ．  Ｓｃｉ．  ＵＳＡ  ８２，  ４３０６  （１９８５）］、ｐＢｌｕｅｓｃｒｉｐｔ  ＩＩ  ＳＫ（−）［ストラタジーン社製）、ｐＫＫ２２３−３（アマシャム・ファルマシア・バイオテク社製）、ｐＧＥＸ−５Ｘ−３（アマシャム・ファルマシア・バイオテク社製）、ｐＥＴ１４［ノバジェン（Ｎｏｖａｇｅｎ）社製］等を例示することができる。
【００５２】
宿主細胞としては、エシェリヒア属、セラチア属、バチルス属、ブレビバクテリウム属、コリネバクテリウム属、ミクロバクテリウム属、シュードモナス属等に属する微生物、例えば、Ｅｓｃｈｅｒｉｃｈｉａ ｃｏｌｉ  ＸＬ１−Ｂｌｕｅ、Ｅｓｃｈｅｒｉｃｈｉａ ｃｏｌｉ  ＸＬ２−Ｂｌｕｅ、Ｅｓｃｈｅｒｉｃｈｉａ ｃｏｌｉ  ＤＨ１、Ｅｓｃｈｅｒｉｃｈｉａ ｃｏｌｉ  ＭＣ１０００、Ｅｓｃｈｅｒｉｃｈｉａ ｃｏｌｉ  ＫＹ３２７６、Ｅｓｃｈｅｒｉｃｈｉａ ｃｏｌｉ  Ｗ１４８５、Ｅｓｃｈｅｒｉｃｈｉａ ｃｏｌｉ  ＪＭ１０９、Ｅｓｃｈｅｒｉｃｈｉａ ｃｏｌｉ  ＨＢ１０１、Ｅｓｃｈｅｒｉｃｈｉａ ｃｏｌｉ  Ｎｏ．４９、Ｅｓｃｈｅｒｉｃｈｉａ ｃｏｌｉ  Ｗ３１１０、Ｅｓｃｈｅｒｉｃｈｉａ ｃｏｌｉ  ＮＹ４９、Ｓｅｒｒａｔｉａ ｆｉｃａｒｉａ、Ｓｅｒｒａｔｉａ ｆｏｎｔｉｃｏｌａ、Ｓｅｒｒａｔｉａ ｌｉｑｕｅｆａｃｉｅｎｓ、Ｓｅｒｒａｔｉａ ｍａｒｃｅｓｃｅｎｓ、Ｂａｃｉｌｌｕｓ ｓｕｂｔｉｌｉｓ、Ｂａｃｉｌｌｕｓ ａｍｙｌｏｌｉｑｕｅｆａｃｉｅｎｓ、Ｂｒｅｖｉｂａｃｔｅｒｉｕｍ ａｍｍｏｎｉａｇｅｎｅｓ、Ｂｒｅｖｉｂａｃｔｅｒｉｕｍ ｉｍｍａｒｉｏｐｈｉｌｕｍ  ＡＴＣＣ１４０６８、Ｂｒｅｖｉｂａｃｔｅｒｉｕｍ ｓａｃｃｈａｒｏｌｙｔｉｃｕｍ  ＡＴＣＣ１４０６６、Ｃｏｒｙｎｅｂａｃｔｅｒｉｕｍ ｇｌｕｔａｍｉｃｕｍ  ＡＴＣＣ１３０３２、Ｃｏｒｙｎｅｂａｃｔｅｒｉｕｍ ｇｌｕｔａｍｉｃｕｍ  ＡＴＣＣ１４０６７、Ｃｏｒｙｎｅｂａｃｔｅｒｉｕｍ ｇｌｕｔａｍｉｃｕｍ  ＡＴＣＣ１３８６９、Ｃｏｒｙｎｅｂａｃｔｅｒｉｕｍ ａｃｅｔｏａｃｉｄｏｐｈｉｌｕｍ  ＡＴＣＣ１３８７０、Ｍｉｃｒｏｂａｃｔｅｒｉｕｍ ａｍｍｏｎｉａｐｈｉｌｕｍ  ＡＴＣＣ１５３５４、Ｐｓｅｕｄｏｍｏｎａｓ  ｓｐ．  Ｄ−０１１０等をあげることができる。
【００５３】
組換えベクターの導入方法としては、上記宿主細胞へＤＮＡを導入する方法であればいずれも用いることができ、例えば、エレクトロポレーション法［Ｄｏｗｅｒ  ＷＪ  ｅｔ  ａｌ．，  Ｎｕｃｌｅｉｃ  Ａｃｉｄｓ  Ｒｅｓ．  １６，  ６１２７  （１９８８）］、カルシウムイオンを用いる方法［Ｃｏｈｅｎ  ＳＮ  ｅｔ  ａｌ．，  Ｐｒｏｃ．  Ｎａｔｌ．  Ａｃａｄ．  Ｓｃｉ．  ＵＳＡ  ６９，  ２１１０  （１９７２）、Ｒｅｉｄ  ＪＤ  ｅｔ  ａｌ．，  Ｇｅｎｅ  １７，  １０７  （１９８２）］、プロトプラスト法［特開昭６３−２４８３９４、Ｃｈａｎ  Ｓ  ａｎｄ  Ｃｏｈｅｎ  ＳＮ，  Ｍｏｌ．  Ｇｅｎ．  Ｇｅｎｅｔ．  １６８，  １１１  （１９７９）］等をあげることができる。
【００５４】
酵母を宿主細胞として用いる場合の発現ベクターとしては、宿主酵母で転写を行なうプロモーター、ＡＢＣＡ−ＳＳＮ  ＤＮＡ、転写の終止配列および酵母での形質転換マーカーとなる遺伝子、たとえば薬剤耐性遺伝子やＴＲＰ１、ＨＩＳ３、ＬＵＥ２等のアミノ酸合成系の遺伝子を発現できる配列を含有しているものが用いられる。また、発現ベクターの作製や維持を容易にするため、大腸菌内でも自律複製と遺伝子導入マーカーとなる薬剤耐性遺伝子を発現できるものが好ましい。
【００５５】
プロモーターとしては、酵母中で転写を行なえるものであればいずれのものを用いてもよく、例えばＳａｃｃｈａｒｏｍｙｃｅｓ ｃｅｒｅｖｉｓｉａｅのアルコールデヒドロゲナーゼ遺伝子ＡＤＨ１、ガラクトース代謝系遺伝子ＧＡＬ１やＧＡＬ１０等のプロモーター、酸性フォスファターゼ遺伝子ＰＨＯ５プロモーター、フォスフォグリセレートキナーゼ遺伝子ＰＧＫプロモーター、グリセルアルデヒド３リン酸デヒドロゲナーゼ遺伝子ＧＡＰプロモーター、ヒートショック蛋白質遺伝子プロモーター、α接合因子遺伝子ＭＦα１プロモーター、銅メタロチオネイン遺伝子ＣＵＰ１プロモーター、Ｐｉｃｈｉａ ｐａｓｔｏｒｉｓのアルコールオキシダーゼ遺伝子ＡＯＸ１のプロモーター等が用いられる。
【００５６】
宿主細胞としては、サッカロマイセス属、シゾサッカロマイセス属、クルイベロミセス属、トリコスポロン属、シワニオミセス属、ピヒア属等に属する酵母菌株をあげることができ、具体的には、Ｓａｃｃｈａｒｏｍｙｃｅｓ ｃｅｒｅｖｉｓｉａｅ、Ｓｃｈｉｚｏｓａｃｃｈａｒｏｍｙｃｅｓ ｐｏｍｂｅ、Ｋｌｕｙｖｅｒｏｍｙｃｅｓ ｌａｃｔｉｓ、Ｔｒｉｃｈｏｓｐｏｒｏｎ ｐｕｌｌｕｌａｎｓ、Ｓｃｈｗａｎｎｉｏｍｙｃｅｓ ａｌｌｕｖｉｕｓ、Ｐｉｃｈｉａ ｐａｓｔｏｒｉｓ等をあげることができる。
【００５７】
組換えベクターの導入方法としては、酵母にＤＮＡを導入する方法であればいずれも用いることができ、例えば、エレクトロポレーション法［Ｂｅｃｋｅｒ  ＤＭ  ａｎｄ  Ｇｕａｒｅｎｔｅ  Ｌ，  Ｍｅｔｈｏｄｓ．  Ｅｎｚｙｍｏｌ．  １９４，  １８２  （１９９１）］、スフェロプラスト法［Ｓｈｏｒｔｌｅ  Ｄ  ｅｔ  ａｌ．，  Ｐｒｏｃ．  Ｎａｔｌ．  Ａｃａｄ．  Ｓｃｉ．  ＵＳＡ  ８１，  ４８８９  （１９８４）］、酢酸リチウム法［Ｉｔｏ  Ｈ  ｅｔ  ａｌ．，  Ｊ．  Ｂａｃｔｅｒｉｏｌ．  １５３，  １６３  （１９８３）］等をあげることができる。
【００５８】
動物細胞を宿主として用いる場合の発現ベクターとしては、宿主動物細胞で転写を行なうプロモーター、ＡＢＣＡ−ＳＳＮ  ＤＮＡ、転写の終止と転写物のポリアデニル化のシグナルの配列を含有しているものが用いられる。またベクターの作製や維持を容易にするため、大腸菌内でも自律複製と遺伝子導入マーカーとなる薬剤耐性遺伝子を発現できるものが望ましい。プロモーターとしては、動物細胞中で転写を行なえるものであればいずれも用いることができるが、ＳＶ４０の初期プロモーター、ヒトサイトメガロウイルスのＩＥ（ｉｍｍｅｄｉａｔｅ  ｅａｒｌｙ）遺伝子のプロモーターおよびエンハンサー、ラウス肉腫ウイルス、ヒトＴ細胞白血病ウイルスＩ、モロニーマウス白血病ウイルス等のレトロウイルスのＬＴＲ（ｌｏｎｇ  ｔｅｒｍｉｎａｌ  ｒｅｐｅａｔ）等のウイルス由来の配列、あるいはメタロチオネイン遺伝子やβ−アクチン遺伝子、伸長因子−１などの動物細胞由来の遺伝子のプロモーター等をあげることができる。またＳＶ４０の初期プロモーターとヒトＴ細胞白血病ウイルスＩのＬＴＲを組み合わせたＳＲαプロモーター等これらのプロモーターを人為的に組み合わせたプロモーターも用いられる。
【００５９】
宿主染色体ＤＮＡにＡＢＣＡ−ＳＳＮ  ＤＮＡが組み込まれた恒常的なＡＢＣＡ−ＳＳＮポリペプチド発現細胞は、Ｇ４１８、ハイグロマイシン等の薬剤に対する耐性遺伝子を発現できる配列を含むＡＢＣＡ−ＳＳＮポリペプチド発現ベクターを宿主細胞に導入し、薬剤の存在下で培養することにより選択することができる。また、宿主細胞中でのＡＢＣＡ−ＳＳＮポリペプチドの生産量を上昇させるために、ジヒドロ葉酸レダクターゼ（ｄｈｆｒ）遺伝子を発現できるような配列を含むＡＢＣＡ−ＳＳＮポリペプチドの恒常的発現ベクターを宿主細胞に導入し、ｄｈｆｒ阻害剤であるメトトレキセート（ｍｅｔｈｏｔｒｅｘａｔｅ）の濃度を段階的に上げながら培養することにより、ｄｆｈｒ遺伝子とともにＡＢＣＡ−ＳＳＮ  ＤＮＡのコピー数を増幅させることもできる。このｄｈｆｒ遺伝子を用いた遺伝子増幅を行なう場合の宿主細胞としては、ｄｈｆｒ遺伝子が機能していない細胞、例えばＣＨＯ／ｄｈｆｒ−（ＡＴＣＣ：ＣＲＬ−９０９６）などを用いる。
【００６０】
上記のＡＢＣＡ−ＳＳＮポリペプチド発現ベクターの作製に用いられる具体的なベクターとして、例えば、ｐＥＧＦＰ−Ｃ２（クローンテック社製）、ｐＡＧＥ１０７［特開平３−２２９７９、Ｍｉｙａｊｉ  Ｈ  ｅｔ  ａｌ．，  Ｃｙｔｏｔｅｃｈｎｏｌ．  ３，  １３３  （１９９０）］、ｐＡＳ３−３（特開平２−２２７０７５）、ｐＣＤＭ８［Ｓｅｅｄ  Ｂ，  Ｎａｔｕｒｅ  ３２９，  ８４０  （１９８７）］、ｐｃＤＮＡ３．１（＋）（インビトロジェン社製）、ｐＲＥＰ４（インビトロジェン社製）、ｐＢＫ−ＲＳＶ（ストラタジーン社製）、ｐＳＶＫ３（アマシャム・ファルマシア・バイオテク社製）、ｐＡＭｏ［Ｓａｓａｋｉ  Ｋ  ｅｔ  ａｌ．，  Ｊ．  Ｂｉｏｌ．  Ｃｈｅｍ．  ２６８，  ２２７８２  （１９９３）］、ｐＣＭＶ６Ｃ［ＡＴＣＣ番号：８７７８２、Ａｎｄｅｒｓｓｏｎ  Ｓ  ｅｔ  ａｌ．，  Ｊ．Ｂｉｏｌ．Ｃｈｅｍ．  ２６４，  ８２２２  （１９８９）］等があげられる。
【００６１】
宿主細胞としては、ヒト細胞であるＨｅＬａ、ナマルバ（Ｎａｍａｌｗａ）、ＨＥＫ２９３（ＣＲＬ−１５７３）、アフリカミドリザル腎臓細胞であるＣＯＳ−１やＣＯＳ−７、ハムスターの細胞であるＣＨＯやＢＨＫ、マウス胎児細胞であるＮＩＨ３Ｔ３、マウス・ミエローマ細胞であるＳＰ２／０やＮＳ０、ラット・ミエローマ細胞であるＹＢ２／０等の細胞株をあげることができる。
【００６２】
組換えベクターの導入方法としては、動物細胞にＤＮＡを導入する方法であればいずれも用いることができ、例えば、エレクトロポレーション法［Ｍｉｙａｊｉ  Ｈ  ｅｔ  ａｌ，  Ｃｙｔｏｔｅｃｈｎｏｌ．  ３，  １３３  （１９９０）］、リン酸カルシウム法（特開平２−２２７０７５）、リポフェクション法［Ｆｅｌｇｎｅｒ  ＰＬ  ｅｔ  ａｌ．，  Ｐｒｏｃ．  Ｎａｔｌ．  Ａｃａｄ．  Ｓｃｉ．  ＵＳＡ  ８４，  ７４１３  （１９８７）］等をあげることができる。
【００６３】
昆虫細胞を宿主細胞として用いる場合は、バキュロウイルス発現系［Ｏ’Ｒｅｉｌｌｙ  ＤＲ  ｅｔ  ａｌ．，  Ｂａｃｕｌｏｖｉｒｕｓ  Ｅｘｐｒｅｓｓｉｏｎ  Ｖｅｃｔｏｒｓ：  Ａ  Ｌａｂｏｒａｔｏｒｙ  Ｍａｎｕａｌ，  Ｗ．Ｈ．  Ｆｒｅｅｍａｎ  ａｎｄ  Ｃｏｍｐａｎｙ，  Ｎｅｗ  Ｙｏｒｋ  （１９９２）、Ｌｕｃｋｏｗ  ＶＡ  ａｎｄ  Ｓｕｍｍｅｒｓ  ＭＤ，  Ｂｉｏ／Ｔｅｃｈｎｏｌｏｇｙ  ６，  ４７  （１９８８）］が用いられる。即ち、トランスファーベクターと呼ばれるベクターにＡＢＣＡ−ＳＳＮ  ＤＮＡを挿入した後、該ベクターとバキュロウイルスを昆虫細胞に同時に導入し、強力なプロモーターであるポリヘドリン遺伝子プロモーター下にＡＢＣＡ−ＳＳＮ  ＤＮＡが挿入された組換えバキュロウイルスを相同組換えによって作製した後、この組換えバキュロウイルスを再度昆虫細胞に感染させることにより、ＡＢＣＡ−ＳＳＮポリペプチドを発現することができる。
【００６４】
バキュロウイルスとしてはＡｕｔｏｇｒａｐｈａ ｃａｌｉｆｏｒｎｉｃａ  核多角体病ウイルス、カイコ核多角体病ウイルス等が用いられる。昆虫細胞としてはＳｐｏｄｏｐｔｅｒａ ｆｒｕｇｉｐｅｒｄａの細胞であるＳｆ９およびＳｆ２１［Ｏ’Ｒｅｉｌｌｙ  ＤＲ  ｅｔ  ａｌ．，  Ｂａｃｕｌｏｖｉｒｕｓ  Ｅｘｐｒｅｓｓｉｏｎ  Ｖｅｃｔｏｒｓ：  Ａ  Ｌａｂｏｒａｔｏｒｙ  Ｍａｎｕａｌ，  Ｗ．  Ｈ．  Ｆｒｅｅｍａｎ  ａｎｄ  Ｃｏｍｐａｎｙ，  Ｎｅｗ  Ｙｏｒｋ  （１９９２）］、Ｔｒｉｃｈｏｐｌｕｓｉａ ｎｉの細胞であるＨｉｇｈ５（インビトロジェン社製）等を用いることができる。また、カイコ幼虫体をそのまま用いることもできる。トランスファーベクターには、ポリヘドリンプロモーターおよび相同組換えを起こさせるためのバキュロウイルス由来の配列、ベクターの維持・増殖や外来遺伝子の組み込み等の遺伝子操作を大腸菌内で行なうための配列（大腸菌での自律複製可能な配列および薬剤耐性遺伝子）が含まれており、具体的にはｐＶＬ１３９２、ｐＶＬ１３９３、ｐＢｌｕｅ４．５（ともにインビトロジェン社製）等があげられる。
【００６５】
動物個体を用いてＡＢＣＡ−ＳＳＮポリペプチドを生産することもできる。例えば、公知の方法［Ｃｏｌｍａｎ  Ａ．，  Ａｍ．  Ｊ．  Ｃｌｉｎ．  Ｎｕｔｒ．  ６３，  ６３９Ｓ  （１９９６）、Ｒｏｓｅｎ  ＪＭ  ｅｔ  ａｌ．，  Ａｍ．  Ｊ．  Ｃｌｉｎ．  Ｎｕｔｒ．，  ６３，  ６２７Ｓ  （１９９６）、Ｗｒｉｇｈｔ  Ｇ  ｅｔ  ａｌ．，  Ｂｉｏ／Ｔｅｃｈｎｏｌｏｇｙ，  ９，  ８３０  （１９９１）］に準じて、ＡＢＣＡ−ＳＳＮ  ＤＮＡを導入した動物中にＡＢＣＡ−ＳＳＮポリペプチドを生産することができる。
【００６６】
プロモーターとしては、動物で発現できるものであればいずれも用いることができるが、例えば、乳腺細胞特異的なプロモーターであるαカゼインプロモーター、βカゼインプロモーター、βラクトグロブリンプロモーター、ホエー酸性プロテインプロモーター等が好適に用いられる。
【００６７】
植物細胞または植物個体を宿主として用いる場合には、公知の方法［井沢毅，  組織培養，  ２０，  ６  （１９９４）、橋本隆，  組織培養，  ２１，  １４  （１９９５）、Ｍｉｅｌｅ  Ｌ，  Ｔｒｅｎｄｓ  Ｂｉｏｔｅｃｈｎｏｌ．  １５，  ４５  （１９９７）］に準じてＡＢＣＡ−ＳＳＮポリペプチドを生産することができる。
【００６８】
ＡＢＣＡ−ＳＳＮポリペプチドの発現に用いるプロモーターとしては、植物細胞中で遺伝子を発現できるものであればいずれも用いることができ、例えば、カリフラワーモザイクウイルスの３５Ｓプロモーター、イネアクチン１プロモーター等をあげることができる。また、プロモーターとＡＢＣＡ−ＳＳＮ  ＤＮＡとの間に、トウモロコシのアルコール脱水素酵素遺伝子のイントロン１等を挿入することにより、ＡＢＣＡ−ＳＳＮポリペプチドの発現効率をあげることもできる。
宿主細胞としては、ポテト、タバコ、トウモロコシ、イネ、アブラナ、大豆、トマト、小麦、大麦、ライ麦、アルファルファ、亜麻等の植物細胞等をあげることができる。
【００６９】
組換えベクターの導入方法としては、植物細胞にＤＮＡを導入する方法であればいずれも用いることができ、例えば、アグロバクテリウム（Ａｇｒｏｂａｃｔｅｒｉｕｍ）、エレクトロポレーション法［Ｍｉｙａｊｉ  Ｈ  ｅｔ  ａｌ．，  Ｃｙｔｏｔｅｃｈｎｏｌ．，  ３，  １３３  （１９９０）］、パーティクルガン（遺伝子銃）を用いる方法等をあげることができる。
ＡＢＣＡ−ＳＳＮ  ＤＮＡを導入した植物の細胞や器官は、ジャーファーメンターを用いて大量培養することができる。また、遺伝子導入した植物細胞を再分化させることにより、ＡＢＣＡ−ＳＳＮ  ＤＮＡが導入された植物個体（トランスジェニック植物）を造成することもできる。
【００７０】
ＡＢＣＡ−ＳＳＮ  ＤＮＡを組み込んだ組換え体ベクターを保有する微生物、動物細胞、あるいは植物細胞由来の形質転換体を、通常の培養方法に従って培養し、ＡＢＣＡ−ＳＳＮポリペプチドを生成蓄積させ、該培養物よりＡＢＣＡ−ＳＳＮポリペプチドを採取することにより、ＡＢＣＡ−ＳＳＮポリペプチドを製造することができる。
動物細胞を宿主とした形質転換体を培養する培地としては、一般に使用されている動物細胞の培養ができる培地であればいずれも用いることができ、例えば、ＲＰＭＩ１６４０培地［Ｊ．  Ａｍ．  Ｍｅｄ．  Ａｓｓｏｃ．  １９９，  ５１９  （１９６７）］、イーグル（Ｅａｇｌｅ）の最小必須培地［ＭＥＭ；Ｅａｇｌｅ  Ｈ．，  Ｓｃｉｅｎｃｅ  １２２，  ５０１  （１９５２）］、ダルベッコ（Ｄａｌｂｅｃｃｏ）改変イーグル（Ｅａｇｌｅ）培地［ＤＭＥＭ；Ｄａｌｂｅｃｃｏ  Ｒ  ａｎｄ  Ｆｒｅｅｍａｎ  Ｇ，  Ｖｉｒｏｌｏｇｙ  ８，  ３９６  （１９５９）］、１９９培地［Ｐｒｏｃ．  Ｓｏｃ．  Ｅｘｐ．  Ｂｉｏｌ．  Ｍｅｄ．，  ７３，  １  （１９５０）］またはこれら培地に牛胎児血清等を添加した培地等を用いることができる。必要に応じてペニシリンやストレプトマイシン等の抗生物質を培地に添加してもよい。培養は、通常ｐＨ６〜８、３０〜４０℃、５％ＣＯ２存在下等の条件下で１〜７日間行う。
【００７１】
昆虫細胞を宿主細胞として得られた形質転換体を培養する培地としては、一般に使用されているＴＭＮ−ＦＨ培地［ＢＤファーミンジェン社（ＢＤ  Ｐｈａｒｍｉｎｇｅｎ）製］、Ｓｆ−９００  ＩＩ  ＳＦＭ培地［ライフ・テクノロジーズ社（Ｌｉｆｅ  Ｔｅｃｈｎｏｌｏｇｉｅｓ）製］、ＥＸ−ＣＥＬＬ４００、ＥＸ−ＣＥＬＬ４０５［いずれもＪＲＨバイオサイエンシーズ社（ＪＲＨ  Ｂｉｏｓｃｉｅｎｃｅｓ，  Ｉｎｃ．）製］、グレース（Ｇｒａｃｅ）の昆虫培地［Ｇｒａｃｅ  ＴＤＣ，  Ｎａｔｕｒｅ  １９５，  ７８８  （１９６２）］等を用いることができる。培養条件は、ｐＨ６〜７、培養温度２５〜３０℃がよく、培養時間は、通常１〜５日間である。また、培養中必要に応じて、ゲンタマイシン等の抗生物質を培地に添加してもよい。
【００７２】
形質転換体が動物個体または植物個体の場合は、通常の方法に従って、飼育または栽培し、ＡＢＣＡ−ＳＳＮポリペプチドを生成蓄積させ、該動物個体または植物個体よりＡＢＣＡ−ＳＳＮポリペプチドを採取することにより、ＡＢＣＡ−ＳＳＮポリペプチドを製造することができる。
【００７３】
すなわち、動物個体の場合、例えば、ＡＢＣＡ−ＳＳＮ  ＤＮＡを保有する非ヒトトランスジェニック動物を飼育し、該組換え体ＤＮＡのコードするＡＢＣＡ−ＳＳＮポリペプチドを該動物中に生成・蓄積させ、該動物中よりＡＢＣＡ−ＳＳＮポリペプチドを採取することにより、ＡＢＣＡ−ＳＳＮポリペプチドを製造することができる。該動物中の生成・蓄積場所としては、例えば、該動物のミルク、卵等をあげることができる。
【００７４】
植物個体の場合、例えば、ＡＢＣＡ−ＳＳＮ  ＤＮＡを保有するトランスジェニック植物を栽培し、ＡＢＣＡ−ＳＳＮポリペプチドを該植物中に生成蓄積させ、該植物中よりＡＢＣＡ−ＳＳＮポリペプチドを採取することにより、ＡＢＣＡ−ＳＳＮポリペプチドを製造することができる。
【００７５】
大腸菌等の原核生物あるいは酵母等の真核生物を宿主として得られた形質転換体を培養する培地としては、該生物が資化し得る炭素源、窒素源、無機塩類等を含有し、形質転換体の培養を効率的に行える培地であれば天然培地、合成培地のいずれを用いてもよい。
炭素源としては、該生物が資化し得るものであればよく、グルコース、フラクトース、スクロース、これらを含有する糖蜜、デンプンあるいはデンプン加水分解物等の炭水化物、酢酸、プロピオン酸等の有機酸、エタノール、プロパノールなどのアルコール類等を用いることができる。
【００７６】
窒素源としては、アンモニア、塩化アンモニウム、硫酸アンモニウム、酢酸アンモニウム、リン酸アンモニウム等の無機酸もしくは有機酸のアンモニウム塩、その他の含窒素化合物、並びに、ペプトン、肉エキス、酵母エキス、コーンスチープリカー、カゼイン加水分解物、大豆粕および大豆粕加水分解物、各種発酵菌体、およびその消化物等を用いることができる。
無機塩としては、リン酸水素二カリウム、リン酸二水素カリウム、リン酸マグネシウム、硫酸マグネシウム、塩化ナトリウム、硫酸第一鉄、硫酸マンガン、硫酸銅、炭酸カルシウム等を用いることができる。
【００７７】
培養は、通常振盪培養または深部通気攪拌培養などの好気的条件下で行う。培養温度は１５〜４０℃がよく、培養期間は、通常１６〜９６時間である。培養中ｐＨは３．０〜９．０に保持する。ｐＨの調整は、無機または有機の酸、アルカリ溶液、尿素、炭酸カルシウム、アンモニアなどを用いて行う。必要に応じて、培養期間中にアンピシリンやテトラサイクリン等の抗生物質を培地に添加してもよい。
プロモーターとして誘導性のプロモーターを用いた発現ベクターで形質転換した微生物を培養するときには、必要に応じてインデューサーを培地に添加してもよい。例えば、ｌａｃプロモーターを用いた発現ベクターで形質転換した微生物を培養するときにはイソプロピルチオガラクトシド（ＩＰＴＧ）等を、ｔｒｐプロモーターを用いた発現ベクターで形質転換した微生物を培養するときにはインドールアクリル酸等を培地に添加してもよい。
【００７８】
上記形質転換体の培養物中に蓄積したＡＢＣＡ−ＳＳＮポリペプチドを単離精製するには、以下のような通常のポリペプチドの単離精製法を用いればよい。
ＡＢＣＡ−ＳＳＮポリペプチドが細胞外に分泌される場合には、培地中にＡＢＣＡ−ＳＳＮポリペプチドが蓄積する。従って培養終了後、遠心分離等の手法により細胞を含まない培地のみを回収する。該培地から、通常の蛋白質の単離精製法、即ち、溶媒抽出法、硫安等による塩析法、脱塩法、有機溶媒による沈殿法、ＤＥＡＥセファロース、ダイヤイオン（ＤＩＡＩＯＮ）ＨＰＡ−７５（三菱化学株式会社製）、Ｍｏｎｏ−Ｑ（アマシャム・ファルマシア・バイオテク社製）等のレジンを用いた陰イオン交換クロマトグラフィー法、ＳＰセファロース（アマシャム・ファルマシア・バイオテク社製）等のレジンを用いた陽イオン交換クロマトグラフィー法、ブチルセファロース、フェニルセファロース等のレジンを用いた疎水性クロマトグラフィー法、分子ふるいを用いたゲルろ過法、アフィニティークロマトグラフィー法、クロマトフォーカシング法や等電点電気泳動等の電気泳動法等の手法を単独あるいは組み合わせて用い、精製標品を得ることができる。
【００７９】
ＡＢＣＡ−ＳＳＮポリペプチドが、形質転換体の細胞内に蓄積する場合には、培養終了後の培養物から、形質転換体の細胞を遠心分離等の手法により回収し、緩衝液にけん濁後、超音波破砕機、フレンチプレス等により細胞を破砕し、無細胞抽出液を得る。ＡＢＣＡ−ＳＳＮポリペプチドが細胞内で溶解状態で存在する場合には、該無細胞抽出液を遠心分離することにより得られた上清から、上記の培地からの精製単離と同様にして精製標品を得ることができる。また、ＡＢＣＡ−ＳＳＮポリペプチドが細胞膜上や細胞内に不溶体を形成して存在する場合は、該無細胞抽出液を遠心分離後、沈殿画分としてＡＢＣＡ−ＳＳＮポリペプチドの細胞膜あるいは不溶体を回収する。このＢＡＢＣＡ−ＳＳＮポリペプチドの細胞膜あるいは不溶体を蛋白質変性剤で可溶化した後、該可溶化液を、蛋白質変性剤を含まないあるいは蛋白質変性剤の濃度が蛋白質が変性しない程度に希薄な溶液に希釈あるいは透析し、ＡＢＣＡ−ＳＳＮポリペプチドを正常な立体構造に復元させた後、上記と同様の単離精製法により精製標品を得ることができる。
【００８０】
また、公知の方法［Ｋｉｇａｗａ  Ｔ．ら，  Ｊ．  Ｂｉｏｍｏｌ．  ＮＭＲ，  ６，  １２９  （１９９８）、Ｓｐｉｒｉｎ  Ａ．Ｓ．ら，  Ｓｃｉｅｎｃｅ，  ２４２，  １１６２  （１９８８）、Ｋｉｇａｗａ  Ｔ．  ＆  Ｙｏｋｏｙａｍａ  Ｓ．，  Ｊ．  Ｂｉｏｃｈｅｍ．，  １１０，  １６６  （１９９１）］に準じて、ｉｎ ｖｉｔｒｏ転写・翻訳系を用いてＡＢＣＡ−ＳＳＮポリペプチドを生産することができる。すなわち、ＡＢＣＡ−ＳＳＮ  ＤＮＡをＳＰ６、Ｔ７、Ｔ３等のプロモーターの下流につなげ、それぞれのプロモーター特異的なＲＮＡポリメラーゼを反応させることにより大量のＡＢＣＡ−ＳＳＮをコードするＲＮＡをインビトロで合成した後、無細胞系の翻訳系例えばウサギ網状赤血球ライセートやコムギ胚芽抽出液を用いた翻訳系を利用して、ＡＢＣＡ−ＳＳＮポリペプチドを生産することができる。
精製したＡＢＣＡ−ＳＳＮポリペプチドの構造解析は、蛋白質化学で通常用いられる方法、例えば「遺伝子クローニングのための蛋白質構造解析」［平野久，  東京化学同人  （１９９３）］に記載の方法により実施可能である。
【００８１】
３．ＡＢＣＡ−ＳＳＮポリペプチドを認識する抗体の調製
ＡＢＣＡ−ＳＳＮポリペプチドを認識する抗体としては、ＡＢＣＡ−ＳＳＮポリペプチドを認識するポリクローナル抗体またはモノクローナル抗体をあげることができる。
【００８２】
（１）ポリクローナル抗体の調製
上記２．に記載の方法により取得したＡＢＣＡ−ＳＳＮポリペプチドの全長または部分断片蛋白質、あるいはペプチド合成機による化学合成法等により製造したＡＢＣＡ−ＳＳＮポリペプチドの部分ペプチドを抗原として用い、動物に投与することによりポリクローナル抗体を作製することができる。
免疫する方法としては、動物の皮下、静脈内または腹腔内に適当なアジュバンドとともに抗原を投与することが好ましい。アジュバンドとしては、フロイントの完全アジュバンド（Ｃｏｍｐｌｅｔｅ  Ｆｒｅｕｎｄ’ｓ  Ａｄｊｕｖａｎｔ）、水酸化アルミニウムと百日咳菌ワクチン等があげられる。
投与する動物として、ウサギ、ヤギ、ラット、マウス、ハムスター等を用いることができる。該抗原の投与量は動物１匹当たり５０〜２００μｇが好ましい。
部分ペプチドを抗原として用いる場合は、該部分ペプチドをＫＬＨ（ｋｅｙｈｏｌｅ  ｌｉｍｐｅｔ  ｈｅｍｏｃｙａｎｉｎ）や牛チログロブリン等のキャリア蛋白に共有結合させたものを抗原とするのが望ましい。
【００８３】
該抗原の投与は、１回目の投与の後１〜２週間おきに３〜１０回行う。各投与後、３〜７日目に眼底静脈叢より採血し、該血清が免疫に用いた抗原と反応することを酵素免疫測定法［石川栄治，  酵素免疫測定法，  医学書院  （１９７８）、Ｈａｒｌｏｗ  Ｅ  ａｎｄ  Ｌａｎｅ  Ｄ，  Ａｎｔｉｂｏｄｉｅｓ：  Ａ  Ｌａｂｏｒａｔｏｒｙ  Ｍａｎｕａｌ，  Ｃｏｌｄ  Ｓｐｒｉｎｇ  Ｈａｒｂｏｒ  Ｌａｂｏｒａｔｏｒｙ  （１９８８）］等で確認する。
免疫に用いた抗原に対し、該血清が充分な抗体価を示した非ヒトほ乳動物より血清を取得し、該血清を分離、精製することによりポリクローナル抗体を取得することができる。
【００８４】
分離、精製する方法としては、遠心分離、４０〜５０％飽和硫酸アンモニウムによる塩析、カプリル酸沈殿［Ｈａｒｌｏｗ  Ｅ  ａｎｄ  Ｌａｎｅ  Ｄ，  Ａｎｔｉｂｏｄｉｅｓ：  Ａ  Ｌａｂｏｒａｔｏｒｙ  Ｍａｎｕａｌ，  Ｃｏｌｄ  Ｓｐｒｉｎｇ  Ｈａｒｂｏｒ  Ｌａｂｏｒａｔｏｒｙ  （１９８８）］、またはＤＥＡＥセファロースカラム、陰イオン交換カラム、プロテインＡカラムやプロテインＧカラムあるいはゲル濾過カラム等を用いるクロマトグラフィー等を、単独または組み合わせて処理する方法があげられる。
公知のＡＢＣＡ７ポリペプチドを認識せず、本発明のポリペプチドを認識する抗体は、本発明のポリペプチドに特異的なアミノ酸配列、例えば配列番号９に記載のアミノ酸配列中の連続した３個以上のアミノ酸配列からなるペプチドを抗原として上記の方法で動物を免疫することにより作製することができる。
【００８５】
（２）モノクローナル抗体の調製
ＡＢＣＡ−ＳＳＮポリペプチドを認識するモノクローナル抗体は、以下のようにして調製することができる。
（２−１）抗体産生細胞の調製
上記（１）において、免疫に用いた抗原に対し、その血清が十分な抗体価を示したラットを抗体産生細胞の供給源として供する。
該抗体価を示したラットに抗原物質を最終投与した後３〜７日目に、脾臓を摘出する。該脾臓をＭＥＭ中で細断し、ピンセットでほぐし、１２００ｒｐｍで５分間遠心分離した後、上清を捨てる。得られた沈殿画分の脾細胞をトリス−塩化アンモニウム緩衝液（ｐＨ７．６５）で１〜２分間処理し赤血球を除去した後、最小必須培地（ＭＥＭ）で３回洗浄し、得られた脾細胞を抗体産生細胞として用いる。
【００８６】
（２−２）骨髄腫細胞の調製
骨髄腫細胞としては、マウスまたはラットから取得した株化細胞を使用する。例えば、８−アザグアニン耐性マウス（ＢＡＬＢ／ｃ由来）骨髄腫細胞株Ｐ３−Ｘ６３Ａｇ８−Ｕ１［Ｙｅｌｔｏｎ  ＤＥ  ｅｔ  ａｌ．，  Ｃｕｒｒ．  Ｔｏｐｉｃｓ  Ｍｉｃｒｏｂｉｏｌ．  Ｉｍｍｕｎｏｌ．  ８１，  １  （１９７８）、Ｋｏｈｌｅｒ  Ｇ  ａｎｄ  Ｍｉｌｓｔｅｉｎ  Ｃ，  Ｅｕｒ．  Ｊ．  Ｉｍｍｕｎｏｌ．  ６，  ５１１  （１９７６）］、ＳＰ２／０−Ａｇ１４［Ｓｈｕｌｍａｎ  Ｍ  ｅｔ  ａｌ．，  Ｎａｔｕｒｅ  ２７６，  ２６９  （１９７８）］、Ｐ３−Ｘ６３−８６５３［Ｓｅｅｇｅｒ  ＲＣ  ｅｔａｌ．，  Ｊ．  Ｉｍｍｕｎｏｌ．  １２３，  １５４８  （１９７９）］、Ｐ３−Ｘ６３−Ａｇ［Ｋｏｈｌｅｒ  Ｇ  ａｎｄ  Ｍｉｌｓｔｅｉｎ  Ｃ，  Ｎａｔｕｒｅ  ２５６，  ４９５  （１９７５）］等を用いることができる。これらの細胞株は、８−アザグアニン培地［ＲＰＭＩ１６４０培地に１．５ｍｍｏｌ／Ｌ  グルタミン、５×１０−５ｍｍｏｌ／Ｌ  ２−メルカプトエタノール、１０μｇ／ｍＬ  ゲンタマイシンおよび１０％ウシ胎児血清を加えた培地（以下、正常培地という）に、さらに１５μｇ／ｍＬ  ８−アザグアニンを加えた培地］で継代するが、細胞融合の３〜４日前に正常培地で培養し、融合には該細胞を２×１０７個以上用いる。
【００８７】
（２−３）ハイブリドーマの作製
（２−１）で取得した抗体産生細胞と（２−２）で取得した骨髄腫細胞をＭＥＭまたはＰＢＳ（１．８３ｇ／Ｌ  リン酸水素二ナトリウム、０．２１ｇ／Ｌ  リン酸二水素カリウム、７．６５ｇ／Ｌ塩化ナトリウム、ｐＨ７．２）でよく洗浄し、細胞数が、抗体産生細胞：骨髄腫細胞＝５〜１０：１になるよう混合し、１２００ｒｐｍで５分間遠心分離した後、上清を捨てる。
得られた沈澱画分の細胞群をよくほぐし、該細胞群に１０８抗体産生細胞あたりポリエチレングリコール−１０００  ２ｇ、ＭＥＭ  ２ｍＬおよびジメチルスルホキシド０．７ｍＬを混合した溶液を３７℃で０．２〜１ｍＬ攪拌しながら添加し、更に１〜２分間毎にＭＥＭ１〜２ｍＬを数回添加する。添加後、ＭＥＭを加えて全量が５０ｍｌになるように調製する。該調製液を９００ｒｐｍで５分間遠心分離後、上清を捨てる。
【００８８】
得られた沈殿画分の細胞を、ゆるやかにほぐした後、メスピペットによる吸込み、吹出しでゆるやかにＨＡＴ培地［正常培地に１０−４ｍｍｏｌ／Ｌヒポキサンチン、１．５×１０−５ｍｍｏｌ／Ｌチミジンおよび４×１０−７ｍｍｏｌ／Ｌアミノプテリンを加えた培地］１００ｍＬ中に懸濁する。該懸濁液を９６穴培養用プレートに１００μＬ／穴ずつ分注し、５％  ＣＯ２インキュベーター中で、３７℃で７〜１４日間培養する。
培養後、培養上清の一部をとりＨａｒｌｏｗ  Ｅ  ａｎｄ  Ｌａｎｅ  Ｄ，  Ａｎｔｉｂｏｄｉｅｓ：  Ａ  Ｌａｂｏｒａｔｏｒｙ  Ｍａｎｕａｌ，  Ｃｏｌｄ  Ｓｐｒｉｎｇ  Ｈａｒｂｏｒ  Ｌａｂｏｒａｔｏｒｙ  （１９８８）  Ｃｈａｐｔｅｒ１４等に述べられている酵素免疫測定法により、上記抗体産生細胞を取得するために、免疫に用いた抗原に特異的に反応するハイブリドーマを選択する。酵素免疫測定法の具体的例として、以下の方法をあげることができる。
【００８９】
免疫の際、抗原に用いた本発明の蛋白質の全長または部分断片精製標品あるいは部分ペプチドを適当なプレートにコートし、ハイブリドーマ培養上清もしくは後述の（２−４）で得られる精製抗体を一次抗体として反応させ、さらに二次抗体としてビオチン、酵素、化学発光物質あるいは放射線化合物等で標識した抗ラットイムノグロブリン抗体を反応させた後に標識物質に応じた反応を行ない、本発明の蛋白質に特異的に反応するものを本発明の蛋白質に対するモノクローナル抗体を生産するハイブリドーマとして選択する。
該ハイブリドーマを用いて、限界希釈法によりクローニングを２回繰り返し［１回目は、ＨＴ培地（ＨＡＴ培地からアミノプテリンを除いた培地）、２回目は、正常培地を使用する］、安定して強い抗体価の認められたものを本発明の蛋白質に対するモノクローナル抗体を生産するハイブリドーマ株として選択する。
【００９０】
（２−４）モノクローナル抗体の調製
プリスタン（Ｐｒｉｓｔａｎｅ；２，６，１０，１４−テトラメチルペンタデカン）０．５ｍＬを腹腔内投与し、２週間飼育した８〜１０週令のマウスまたはヌードマウスに、（２−３）で取得したＡＢＣＡ−ＳＳＮポリペプチドを認識するモノクローナル抗体を生産するハイブリドーマ細胞５〜２０×１０６細胞／匹を腹腔内に注射する。１０〜２１日間でハイブリドーマは腹水癌化する。
該腹水癌化したマウスから腹水を採取し、３０００ｒｐｍで５分間遠心分離して固形分を除去する。得られた上清より、ポリクローナルで用いた方法と同様の方法でモノクローナル抗体を精製、取得することができる。抗体のサブクラスの決定は、マウスモノクローナル抗体タイピングキットまたはラットモノクローナル抗体タイピングキットを用いて行う。蛋白質量は、ローリー法あるいは２８０ｎｍでの吸光度より算出する。
【００９１】
（３）本発明による好ましい抗体
本発明の抗体は上記の（１）および（２）に記載した方法により調製することができる。かくして得られる抗体をさらにスクリーニングすることによって、
配列番号２５のアミノ酸配列（Ｋａｍｉｎｓｋｉ  ＷＥ  ｅｔ  ａｌ．，  Ｂｉｏｃｈｅｍ．  Ｂｉｏｐｈｙｓ．  Ｒｅｓ．  Ｃｏｍｍｕｎ．  ２７３，  ５３２  （２０００）で報告されたＡＢＣＡ７ポリペプチドのアミノ酸配列）からなるポリペプチドを認識せず、本発明のポリペプチドを認識する抗体；
配列番号９に記載のアミノ酸配列を有する領域を認識する抗体；または
本発明のポリペプチドのトランスポーター活性を阻害する抗体；
を取得することができる。
なお、得られた抗体が、本発明のポリペプチドのトランスポーター活性を阻害するかどうかは、本明細書中上記した方法により分析することができる。
【００９２】
４．ＡＢＣＡ−ＳＳＮのｍＲＮＡの検出・定量法およびＡＢＣＡ−ＳＳＮの発現量がｍＲＮＡレベルで変動している疾患の診断方法
ＡＢＣＡ−ＳＳＮをコードするポリヌクレオチドの部分断片、例えば配列番号１、２、４、または５のいずれかに記載の塩基配列を有するＤＮＡの部分断片、例えば配列番号１に記載の塩基配列の連続する２００ｂｐ以上の連続した塩基配列を有する断片やＡＢＣＡ−ＳＳＮのオリゴヌクレオチドを用いて、ＡＢＣＡ−ＳＳＮのｍＲＮＡを検出することができる。
【００９３】
また、ＡＢＣＡ７  ｍＲＮＡと配列番号１または４に示した塩基配列を有するＡＢＣＡ−ＳＳＮ  ｍＲＮＡを区別して検出するには、ＡＢＣＡ−ＳＳＮ  ｍＲＮＡに特異的な配列、具体的には配列番号８に記載の塩基配列と相補的な配列の全部または１０ｂｐ以上の長さの一部からなるポリヌクレオチドをプローブとして、以下に示すハイブリダイゼーションを行うことにより、ＡＢＣＡ−ＳＳＮ  ｍＲＮＡだけを検出することができる。このようなポリヌクレオチドとして、配列番号１９および２０に記載の塩基配列からなるオリゴヌクレオチドプライマーでＡＢＣＡ−ＳＳＮ  ＤＮＡを鋳型にして増幅されるポリヌクレオチド断片をあげることができる。また、下記に示す定量的ＰＣＲ法において、ＡＢＣＡ７  ｃＤＮＡのエキソン５にあたる塩基配列の部分配列と一致する配列を有するフォワードプライマーおよびエキソン６にあたる塩基配列と相補的な配列の部分配列と一致する配列を有するリバースプライマーを用いることにより、増幅断片の長さにより本発明のＡＢＣＡ−ＳＳＮ  ｍＲＮＡとＡＢＣＡ７  ｍＲＮＡを区別してそれぞれ定量することができる。このような定量的ＰＣＲに用いることのできるプライマーとして配列番号２１および２２に記載の塩基配列からなるオリゴヌクレオチドをあげることができる
【００９４】
ＡＢＣＡ−ＳＳＮのｍＲＮＡを検出する方法としては、例えばノーザンブロット法、ｉｎ ｓｉｔｕハイブリダイゼーション法、定量的ＰＣＲ法、ディファレンシャル・ハイブリダイゼーション法、ＤＮＡチップ法、リボヌクレアーゼ保護アッセイ法などの方法等があげられる。これらの方法により組織や細胞におけるＡＢＣＡ−ＳＳＮのｍＲＮＡレベルでの発現量を調べることができる。
これらの方法によって、ＡＢＣＡ−ＳＳＮがどのような組織や細胞で発現しているかという情報や、細胞がどのような刺激を受けたときにその発現量が変化するかという情報を得ることができる。
これらの方法に用いる試料としてはヒトや動物から採取した臓器や生体組織、血液等の生体試料、あるいはこれらの生体試料から樹立した初代培養細胞、細胞株が用いられる。
【００９５】
ノーザンブロット法は、試料から抽出した全ＲＮＡあるいはｍＲＮＡ（以下「試料由来ＲＮＡ」という）をゲル電気泳動で分離後、ナイロンフィルター等の膜に転写し、ＡＢＣＡ−ＳＳＮ  ＤＮＡあるいはその部分配列を有するＤＮＡ、ＡＢＣＡ−ＳＳＮ  ＤＮＡの部分配列を有するオリゴヌクレオチドを放射性同位体やジゴキシゲニン、ビオチン等で標識して調製したプローブを用いて、ハイブリダイゼーションならびに洗浄を行い、ＡＢＣＡ−ＳＳＮのｍＲＮＡを、標識プローブが特異的に結合したバンドとして検出する方法のことでありモレキュラー・クローニング第２版に記載の方法および条件に基づいて行うことができる。バンドの強度すなわち結合した標識プローブの量はＡＢＣＡ−ＳＳＮのｍＲＮＡの量を反映しているので、組織や病態により発現量がほとんど変化せず、常に構成的に発現しているアクチンやグリセルアルデヒド３−リン酸デヒドロゲナーゼ（Ｇ３ＰＤＨ）等のｍＲＮＡのバンドを同一のフィルター上で検出し、その強度によって標準化を行うことにより、ＡＢＣＡ−ＳＳＮのｍＲＮＡレベルでの発現量を定量することができる。また、試料由来ＲＮＡを電気泳動する際に標識したＲＮＡ分子量マーカーを同時に電気泳動し、バンドの泳動位置を分子量マーカーの位置と比較するすることにより、ＡＢＣＡ−ＳＳＮのｍＲＮＡの長さを測定することができる。
【００９６】
イン・サイチュ（ｉｎ ｓｉｔｕ）ハイブリダイゼーション法は、試料である臓器や生体組織からパラフィン包埋切片あるいはクリオスタット切片を作製し、該切片に対してＡＢＣＡ−ＳＳＮ  ＤＮＡ、該ＤＮＡの部分配列を有するＤＮＡ、あるいはＡＢＣＡ−ＳＳＮ  ＤＮＡの部分塩基配列からなるオリゴヌクレオチドより調製した標識プローブとハイブリダイゼーションならびに洗浄の工程を行い、組織内のＡＢＣＡ−ＳＳＮ発現細胞や発現部位を詳細に検出する方法で、カレント・プロトコールズ・イン・モレキュラー・バイオロジーに記載の方法および条件により行うことができる。
【００９７】
定量的ＰＣＲ法［Ｄｅｌｉｄｏｗ  ＢＣ  ｅｔ  ａｌ．，  Ｇｅｎｅ  Ａｎａｌ．  Ｔｅｃｈ．  ６，  １２０  （１９８９）］は、試料由来ＲＮＡからオリゴｄＴプライマーと逆転写酵素を用いて合成したｃＤＮＡ（以下「試料由来ｃＤＮＡ」という）を鋳型としてＡＢＣＡ−ＳＳＮのｃＤＮＡの塩基配列に基づき設計したオリゴヌクレオチドプライマーを用いてＰＣＲを行い、ＡＢＣＡ−ＳＳＮのｍＲＮＡ由来のＤＮＡ断片を特異的に増幅する方法である。該増幅ＤＮＡ断片の量は試料中のＡＢＣＡ−ＳＳＮのｍＲＮＡの量を反映することから、組織や病態で発現量の変化しないアクチンやＧ３ＰＤＨ等のｃＤＮＡに対するＰＣＲをコントロールとすることでＡＢＣＡ−ＳＳＮのｍＲＮＡを定量することが可能である。オリゴヌクレオチドプライマーは、プライマー間あるいはプライマー内でのハイブリダイゼーションを起こさないアニーリング温度でＡＢＣＡ−ＳＳＮのｃＤＮＡと特異的に結合して、変性温度ではずれるように設計する。該増幅ＤＮＡ断片の定量は増幅産物が指数関数的に増加しているＰＣＲ回数の内に行うことが必要である。このようなＰＣＲ回数は、一つの試料に関して増幅回数を変えてＰＣＲを行い、各回数ごとに増加する該増幅ＤＮＡ断片の量をゲル電気泳動で分析することで知ることができる。
【００９８】
ディファレンシャル・ハイブリダイゼーション法［Ｌｅｎｎｏｎ  ＧＧ  ａｎｄ  Ｌｅｈｒａｃｈ  Ｈ，  Ｔｒｅｎｄｓ  Ｇｅｎｅｔ．  ７，  ３１４  （１９９１）］やＤＮＡチップ法［Ｓｈａｌｏｎ  Ｄ  ｅｔ  ａｌ．，  Ｇｅｎｏｍｅ  Ｒｅｓ．  ６，  ６３９  （１９９６）］は、ＡＢＣＡ−ＳＳＮ  ＤＮＡ、該ＤＮＡの部分塩基配列を有するＤＮＡ、あるいはＡＢＣＡ−ＳＳＮ  ＤＮＡの部分塩基配列と相補的な配列からなるオリゴヌクレオチドを固定化させたフィルターあるいはスライドガラスやシリコンなどの基盤に対して、試料由来ＲＮＡからオリゴｄＴプライマーと、標識ｄＮＴＰおよび逆転写酵素を用いて合成した標識ｃＤＮＡをプローブとして、ハイブリダイゼーションならびに洗浄を行うことで、測定の対照となる検体のＡＢＣＡ−ＳＳＮのｍＲＮＡレベルでの発現量の変動を検出する方法である。いずれの方法もフィルターあるいは基盤上にアクチンやＧ３ＰＤＨのＤＮＡを固定化し内部コントロールとすることにより、測定検体と対照検体の間でのＡＢＣＡ−ＳＳＮのｍＲＮＡレベルでの発現の差を検出することができる。また測定検体と対照検体から標識ｃＤＮＡプローブを作製する際、両者で異なる標識ｄＮＴＰを用いて作製し、１枚のフィルターあるいは１枚の基盤に二つの標識ｃＤＮＡプローブを同時にハイブリダイズさせることで正確な定量を行うことができる。
【００９９】
リボヌクレアーゼ保護アッセイ［Ｐａｐｅ  ＭＥ  ｅｔ  ａｌ．，  Ｇｅｎｅｔ．  Ａｎａｌ．  Ｔｅｃｈ．  Ａｐｐｌ．  ８，  ２０６  （１９９１）］では、まずＡＢＣＡ−ＳＳＮ  ＤＮＡの３’端にＴ７プロモーター、ＳＰ６プロモーターなどのプロモーター配列を結合し、標識ＮＴＰおよびプロモーター特異的なＲＮＡポリメラーゼを用いたインビトロの転写系により標識したＡＢＣＡ−ＳＳＮのアンチセンスＲＮＡを合成する。該標識アンチセンスＲＮＡを検体から調製した全ＲＮＡまたはｍＲＮＡとハイブリダイゼーションさせ、検体中のＡＢＣＡ−ＳＳＮのｍＲＮＡとＲＮＡ−ＲＮＡハイブリッドを形成させた後、リボヌクレアーゼで消化し、ハイブリッドの形成によりリボヌクレアーゼによる消化から保護されたバンドをゲル電気泳動で検出する。保護されたバンドを定量することで、ＡＢＣＡ−ＳＳＮのｍＲＮＡレベルでの発現を定量することができる。
【０１００】
以上のような方法により、被検者およびコントロールとなる健常者から生検等により採取した臓器や生体組織、血液等の生体試料、あるいはこれから培養した初代培養細胞を検体として用い、両者のＡＢＣＡ−ＳＳＮのｍＲＮＡレベルでの発現の定量を行い比較することにより、ＡＢＣＡ−ＳＳＮのｍＲＮＡレベルの発現量が健常者と比べて増加あるいは減少している疾患を診断することができる。該疾患としては、例えば自己免疫疾患、シェーグレン病、炎症性疾患、脂質代謝の異常疾患、動脈硬化があげられる。
【０１０１】
５．ＡＢＣＡ−ＳＳＮのトランスポーター活性の阻害
（１）ＡＢＣＡ−ＳＳＮの阻害剤およびそのスクリーニング方法
ＡＢＣＡ−ＳＳＮの阻害剤とは、ＡＢＣＡ−ＳＳＮのトランスポーター活性を阻害する物質である。被験物質とＡＢＣＡ−ＳＳＮポリペプチドを共存させ、ＡＢＣＡ−ＳＳＮのトランスポーター活性を被験物質が存在しない場合のトランスポーター活性と比較し、被験物質を共存させた場合にトランスポーター活性が低下する場合に、該物質がＡＢＣＡ−ＳＳＮのトランスポーター活性を阻害する物質として選択することができる。
【０１０２】
上記スクリーニング法に用いるＡＢＣＡ−ＳＳＮは、ＡＢＣＡ−ＳＳＮを発現している組織、細胞などから精製したポリペプチドを用いてもよいが、ＡＢＣＡ−ＳＳＮをコードするＤＮＡを用いて形質転換された形質転換体を培養し、常法に従って精製することにより、大量に得ることができる。また該ポリペプチドを生産する培養細胞や培養細胞処理物を用いても、本スクリーニングを行うことは可能であるが、細胞をそのまま用いる場合は、該蛋白質を分泌生産する細胞を用いるのが好ましい。ここでいう培養細胞処理物とは、培養液の濃縮物、培養細胞の乾燥物、培養液を遠心分離して得られる細胞、該細胞の乾燥物、該細胞の凍結乾燥物、該細胞の界面活性剤処理物、該細胞の超音波処理物、該細胞の機械的摩砕処理物、該細胞の溶媒処理物、該細胞の酵素処理物、該細胞の蛋白質分画物、該細胞の固定化物あるいは該細胞より抽出して得られる酵素標品等があげられる。
【０１０３】
（２）ＡＢＣＡ−ＳＳＮの発現を抑制する方法
ＡＢＣＡ−ＳＳＮの発現を抑制する方法としては、ＡＢＣＡ−ＳＳＮ遺伝子に対するアンチセンスＤＮＡやアンチセンスオリゴヌクレオチドの投与あるいはアンチセンスＲＮＡ発現ベクターの投与による、ｍＲＮＡからＡＢＣＡ−ＳＳＮポリペプチドへの翻訳の抑制、ＡＢＣＡ−ＳＳＮ遺伝子プロモーターと結合するトリプルヘリックス形成オリゴヌクレオチド投与による転写の阻害、リボザイムの投与によるＡＢＣＡ−ＳＳＮ  ｍＲＮＡの分解、ＡＢＣＡ−ＳＳＮ遺伝子の転写を特異的に阻害する化合物の投与による転写の阻害をあげることができる。
【０１０４】
６．遺伝子治療用ベクター
ＡＢＣＡ−ＳＳＮの発現量が少ないことが原因の疾患に対しては、  ＡＢＣＡ−ＳＳＮポリペプチドあるいはＡＢＣＡ−ＳＳＮポリペプチドをヒト生体内で産生する遺伝子治療用ベクターを投与することにより治療を行うことができる。
ＡＢＣＡ−ＳＳＮポリペプチドをヒト生体内で産生する遺伝子治療用ベクターとしてＡＢＣＡ−ＳＳＮポリペプチドを産生する組み換えウイルスベクターをあげることができる。該組み換えウイルスベクターは、１．に記載の方法で取得したＡＢＣＡ−ＳＳＮ  ｃＤＮＡ、あるいは必要に応じてＡＢＣＡ−ＳＳＮをコードする領域を含む適当な長さのＤＮＡ断片を調製し、ウイルスベクター内のプロモーターの下流に挿入することにより、造成することができる。該組換えウイルスベクターは、ウイルスのパッケージングに必要な蛋白質をコードする遺伝子例えばマウスモロニー白血病ウイルス等のレトロウイルスの場合はｇａｇ、ｐｏｌ、ｅｎｖ等、ＨＩＶ等のレンチウイルスの場合はｇａｇ、ｐｏｌ、ｅｎｖ、ｖｐｒ、ｖｐｕ、ｖｉｆ、ｔａｔ、ｒｅｖ、ｎｅｆ等、アデノウイルスの場合はＥ１Ａ、Ｅ１Ｂ等、アデノ随伴ウイルスの場合はＲｅｐ（ｐ５、ｐ１９、ｐ４０）、Ｖｐ（Ｃａｐ）等の遺伝子が欠損している。
【０１０５】
該組換えウイルスベクターを、該組換えウイルスベクターに適合したパッケージング細胞に導入する。パッケージング細胞としては、該組換えウイルスベクターで欠損しているウイルスのパッケジ−ングに必要な蛋白質を補給できる細胞は全て用いることができ、例えばヒト腎臓由来のＨＥＫ２９３細胞、マウス繊維芽細胞ＮＩＨ３Ｔ３等を用いることができる。
ウイルスベクターとしては上記パッケージング細胞において組換えウイルスが生産でき、標的細胞でＡＢＣＡ−ＳＳＮ遺伝子を転写できる位置にプロモーターを含有しているものが用いられる。プラスミドベクターとしてはＭＦＧ［Ｒｉｖｉｅｒｅ  Ｉ  ｅｔ  ａｌ．，  Ｐｒｏｃ．  Ｎａｔｌ．  Ａｃａｄ．  Ｓｃｉ．  ＵＳＡ  ９２，  ６７３３  （１９９５）］、ｐＢａｂｅｐｕｒｏ［Ｍｏｒｇｒｎｓｔｅｒｎ  ＪＰ  ａｎｄ  Ｌａｎｄ  Ｈ，  Ｎｕｃｌｅｉｃ  Ａｃｉｄｓ  Ｒｅｓ．  １８，  ３５８７  （１９９０）］、ＬＬ−ＣＧ、ＣＬ−ＣＧ、ＣＳ−ＣＧ、ＣＬＧ［Ｍｉｙｏｓｈｉ  Ｈ  ｅｔ  ａｌ．，  Ｊ．  Ｖｉｒｏｌ．  ７２，  ８１５０  （１９９８）］、ｐＡｄｅｘ１［Ｋａｎｅｇａｅ  Ｙ  ｅｔ  ａｌ．，  Ｎｕｃｌｅｉｃ  Ａｃｉｄｓ  Ｒｅｓ．  ２３，  ３８１６  （１９９５）］、プロモーターとしては、ヒト組織中で発現できるものであればいずれも用いることができ、例えばサイトメガロウイルスのＩＥ（ｉｍｍｅｄｉａｔｅ  ｅａｒｌｙ）遺伝子のプロモーター、ＳＶ４０の初期プロモーター、レトロウイルスのＬＴＲ、メタロチオネインプロモーター、ヒートショック蛋白質プロモーター等をあげることができる。また、サイトメガロウイルスのＩＥ遺伝子のエンハンサーをプロモーターと共に用いてもよい。
【０１０６】
上記パッケージング細胞への上記組換えウイルスベクターの導入法としては、例えば、リン酸カルシウム法、リポフェクション法［Ｆｅｌｇｎｅｒ  ＰＬ  ｅｔ  ａｌ．，  Ｐｒｏｃ．  Ｎａｔｌ．  Ａｃａｄ．  Ｓｃｉ．  ＵＳＡ  ８４，  ７４１３  （１９８７）］等をあげることができる。また、ウィルスベクターを用いない遺伝子治療方法としては、所望の組織にＤＮＡを直接輸送する手段として、裸のプラスミドＤＮＡの形態で直接注入される治療用遺伝子トランスフェクション法がある（米国特許公報５５８９４６６号）。すなわち、ＡＢＣＡ−ＳＳＮ  ＤＮＡを有する発現ベクターを、治療が必要な組織、例えば大腸癌組織に注射器等を用いて注入することにより、該蛋白質を該癌組織内で発現させることができる。
【０１０７】
７．抗体を用いたＡＢＣＡ−ＳＳＮポリペプチドの検出および定量方法
ＡＢＣＡ−ＳＳＮポリペプチドを認識する抗体を用いてＡＢＣＡ−ＳＳＮポリペプチドを免疫学的に検出する方法としては、免疫組織染色法、免疫細胞染色法などの免疫組織化学染色法、フローサイトメトリー、ウェスタンブロッティング法、サンドイッチＥＬＩＳＡ等の酵素免疫測定法（ｅｎｚｙｍｅ  ｉｍｍｕｎｏａｓｓａｙ；ＥＩＡ）や放射性免疫測定法（Ｒａｄｉｏｉｍｍｕｎｏａｓｓａｙ；ＲＩＡ）などがあり、文献［富山朔二・安東民衛編，単クローン抗体実験マニュアル，講談社サイエンティフィック  （１９８７）、続生化学実験講座５，免疫生化学研究法，東京化学同人（１９８６）、Ｇｏｄｉｎｇ  ＪＷ，  Ｍｏｎｏｃｌｏｎａｌ  Ａｎｔｉｂｏｄｉｅｓ：  Ｐｒｉｎｃｉｐｌｅｓ  ａｎｄ  Ｐｒａｃｔｉｃｅ，  Ｔｈｉｒｄ  ｅｄｉｔｉｏｎ，  Ａｃａｄｅｍｉｃ  Ｐｒｅｓｓ  （１９９６）、Ｈａｒｌｏｗ  Ｅ  ａｎｄ  Ｌａｎｅ  Ｄ，  Ａｎｔｉｂｏｄｉｅｓ：  Ａ  ｌａｂｏｒａｔｏｒｙ  Ｍａｎｕａｌ，  Ｃｏｌｄ  Ｓｐｒｉｎｇ  Ｈａｒｂｏｒ  Ｌａｂｏｒａｔｏｒｙ  （１９８８）］に基いて行うことができる。
【０１０８】
免疫組織化学染色法は、生体組織や細胞を固定化し、ＡＢＣＡ−ＳＳＮポリペプチドを認識する抗体を反応させ、さらに蛍光物質、酵素、ビオチン、金コロイド、放射性物質等で標識した抗イムノグロブリン抗体あるいは抗体断片を反応させた後、必要ならば標識抗体の可視化処理を行い、顕微鏡を用いて観察することにより組織や細胞中のＡＢＣＡ−ＳＳＮポリペプチドを検出する方法である。蛍光物質標識には、フルオレセイン・イソチオシアネート（ＦＩＴＣ）、テトラメチルローダミン・イソチオシアネート等が用いられ、蛍光顕微鏡によって観察することにより検出する。酵素標識の場合はペルオキシダーゼやアルカリフォスファターゼ等が用いられ、酵素により発色する基質を添加して発色反応させた後、光学顕微鏡で観察することにより検出できる。ビオチン標識の場合は、ペルオキシダーゼ等の酵素で標識したアビジンを反応させた後、酵素標識抗体と同様の操作を行う。金コロイド標識の場合は、電子顕微鏡で観察することにより検出する。放射性物質標識には１２５Ｉ等が用いられ、感光乳剤をコートして放射線により析出した銀粒子を光学顕微鏡で観察することにより検出できる。
【０１０９】
フローサイトメトリーは、細胞にＡＢＣＡ−ＳＳＮポリペプチドを認識する抗体を反応させ、さらにフルオレシン・イソチオシアネートあるいはフィコエリスリンなどの蛍光物質でラベルした抗イムノグロブリン抗体あるいは抗体断片を反応させた後、蛍光色素をフローサイトメーターで測定することにより、細胞でのＡＢＣＡ−ＳＳＮポリペプチドの発現を検出する方法である。
【０１１０】
ウェスタンブロッティング法は、生体組織や細胞の破砕液をＳＤＳ−ポリアクリルアミドゲル電気泳動で分画した後、該ゲルをポリフッ化ビニリデン（ＰＶＤＦ）膜あるいはニトロセルロース膜にブロッティングし、該膜にＡＢＣＡ−ＳＳＮポリペプチドを認識する抗体またはその抗体断片を反応させ、さらにペルオキシダーゼやアルカリフォスファターゼなどの酵素や１２５Ｉ等の放射性物質で標識した抗イムノグロブリン抗体あるいは抗体断片を反応させた後、  ＡＢＣＡ−ＳＳＮポリペプチドのバンドを検出する方法である。検出は、酵素標識の場合は、酵素により発色する基質を添加して反応させＡＢＣＡ−ＳＳＮポリペプチドのバンドを可視化したり、酵素により発光する基質を添加してＸ線フィルムのオートラジオグラフィーにより検出し、放射性物質の場合はＸ線フィルムのオートラジオグラフィーにより検出する。
【０１１１】
酵素免疫測定法の一種であるサンドイッチＥＬＩＳＡでは、抗原認識部位の異なる２種類のＡＢＣＡ−ＳＳＮポリペプチドを認識するモノクローナル抗体を用意し、あらかじめ一方のモノクローナル抗体または抗体断片はプレートに吸着させておく。生体組織や細胞から細胞破砕液を調製し、試験サンプルとする。抗体吸着プレートに試験サンプルを反応させ、さらに抗原認識部位の異なるＡＢＣＡ−ＳＳＮポリペプチドを認識するモノクローナル抗体またはその抗体断片を反応させ、さらにペルオキシダーゼやアルカリフォスファターゼなどの酵素で標識した抗イムノグロブリン抗体あるいは抗体断片を反応させる。酵素により発色する基質を添加して発色反応させた後、分光光度計により発色強度を測定することにより、サンプル中のＡＢＣＡ−ＳＳＮポリペプチドの検出または定量を行う。
【０１１２】
放射性免疫測定法は、酵素でなく１２５Ｉ等の放射性物質で標識した抗体を用いて、酵素免疫測定法と同様の操作を行い、シンチレーションカウンターで放射線を測定することによりサンプル中のＡＢＣＡ−ＳＳＮポリペプチドの検出または定量を行う方法である。
【０１１３】
また酵素免疫測定法や放射性免疫測定法には、上記のようなサンドイッチ法の他に、抗体でなくＡＢＣＡ−ＳＳＮポリペプチド標品を標識し、一定量の標識ＡＢＣＡ−ＳＳＮポリペプチド標品と試験サンプルとをプレートに固相化したＡＢＣＡ−ＳＳＮポリペプチドを認識する抗体と反応させ、プレート上の酵素活性や放射線を測定することにより、サンプル中のＡＢＣＡ−ＳＳＮポリペプチドの検出または定量を行う競合法もある。
【０１１４】
８．医薬組成物
上記ＡＢＣＡ−ＳＳＮポリペプチド、ＡＢＣＡ−ＳＳＮオリゴヌクレオチド、ＡＢＣＡ−ＳＳＮを認識する抗体を含有する治療薬は、薬剤として該物質または該中和抗体単独で投与することも可能ではあるが、通常は薬理学的に許容される一つあるいはそれ以上の担体と一緒に混合し、製剤学の技術分野においてよく知られる任意の方法により製造した医薬製剤として提供するのが望ましい。投与経路は、治療に際し最も効果的なものを使用するのが望ましく、経口投与または、口腔内、気道内、直腸内、皮下、筋肉内および静脈内等の非経口投与をあげることができる。投与形態としては、噴霧剤、カプセル剤、錠剤、顆粒剤、シロップ剤、乳剤、座剤、注射剤、軟膏、テープ剤等があげられる。
【０１１５】
経口投与に適当な製剤としては、乳剤、シロップ剤、カプセル剤、錠剤、散剤、顆粒剤等があげられる。例えば乳剤およびシロップ剤のような液体調製物は、水、ショ糖、ソルビトール、果糖等の糖類、ポリエチレングリコール、プロピレングリコール等のグリコール類、ごま油、オリーブ油、大豆油などの油類、ｐ−ヒドロキシ安息香酸エステル類等の防腐剤、ストロベリーフレーバー、ペパーミント等のフレーバー類等を添加剤として用いて製造できる。カプセル剤、錠剤、散剤、顆粒剤等は、乳糖、ブドウ糖、ショ糖、マンニトール等の賦形剤、デンプン、アルギン酸ナトリウム等の崩壊剤、ステアリン酸マグネシウム、タルク等の滑沢剤、ポリビニルアルコール、ヒドロキシプロピルセルロース、ゼラチン等の結合剤、脂肪酸エステル等の界面活性剤、グリセリン等の可塑剤等を添加剤として用いて製造できる。
【０１１６】
非経口投与に適当な製剤としては、注射剤、座剤、噴霧剤等があげられる。例えば、注射剤は、塩溶液、ブドウ糖溶液、あるいは両者の混合物からなる担体等を用いて調製する。座剤はカカオ脂、水素化脂肪またはカルボン酸等の担体を用いて調製される。また、噴霧剤は該蛋白質そのもの、ないしは受容者の口腔および気道粘膜を刺激せず、かつ該蛋白質を微細な粒子として分散させ吸収を容易にさせる担体等を用いて調製する。担体として具体的には乳糖、グリセリン等が例示される。該蛋白質および用いる担体の性質により、エアロゾル、ドライパウダー等の製剤が可能である。また、これらの非経口剤においても経口剤で添加剤として例示した成分を添加することもできる。
【０１１７】
投与量または投与回数は、目的とする治療効果、投与方法、治療期間、年齢、体重等により異なるが、通常成人１日当たり１０μｇ／ｋｇ〜１００ｍｇ／ｋｇである。
以下、本発明を実施例を用いて具体的に例示するが、本発明の範囲は実施例によって限定されることはない。
【０１１８】
【実施例】
実施例１：ＡＢＣＡ−ＳＳＮ  ｃＤＮＡのクローン化と塩基配列解析
ＳＳ−Ｎ  ｃＤＮＡ（ＧｅｎＢａｎｋアクセス番号ＡＦ１４０３４２）と一致する塩基配列を有するｃＤＮＡを、インハウスデータベース（かずさＤＮＡ研究所）を用いて探索した結果、ヒト成人脳由来のｃＤＮＡクローンｈｈ１０２１０がＳＳＮ−ｃＤＮＡの配列を含むことを見出した。ｈｈ１０２１０が新規なＡＢＣトランスポーターであるＡＢＣＡ−ＳＳＮをコードしていると考え、そのｃＤＮＡの塩基配列を解析した。配列番号７にｈｈ１０２１０のｃＤＮＡの塩基配列を示した。ｈｈ１０２１０のｃＤＮＡの塩基配列は公知のＡＢＣＡ７  ｃＤＮＡの塩基配列（ＧｅｎＢａｎｋアクセス番号ＡＦ２５０２３８）と非常に相同性の高いものであったが、１）ＡＢＣＡ７遺伝子のエキソン５とエキソン６の間の３８４ｂｐのイントロン（配列番号８に該イントロンの塩基配列を示した。）が残っているオルタナティブ・スプライシング体のｃＤＮＡであること、２）エキソン２より上流の５’側、エキソン４０より下流の３’側、およびエキソン３５の一部５４ｂｐが欠失していること、３）エキソン３２中にアミノ酸配列の変異を伴なう２ヶ所（配列番号７の４７６６および４８３２番目）の塩基配列の変異があること（ＡＢＣＡ７の１５０２ＡｒｇがＰｒｏに、１５２４ＰｈｅがＳｅｒに変異する。）がわかった。
【０１１９】
さらにヒト胸腺ｃＤＮＡライブラリー（宝酒造株式会社製）をテンプレートとして、配列番号１２および１３に示す塩基配列のオリゴヌクレオチドプライマーを用いた３’−ＲＡＣＥ、あるいは配列番号１２および１４に示す塩基配列のオリゴヌクレオチドプライマーを用いたＰＣＲを行い、ｈｈ１０２１０で欠失している３’側の領域を含むｃＤＮＡ断片を増幅しクローン化した。これらの３’側の領域のクローンについて塩基配列をベックマンＣＥＱ２０００ＤＮＡ解析システムを用いて解析した。その結果、ＡＢＣＡ７  ｃＤＮＡの塩基配列の５３７４〜６４１９番目とほぼ一致する配列（配列番号１０）を有するものの他、スプライシングの認識サイトがずれたオルタナティイブ・スプライシング体であると考えられるエキソン４５の開始部分の４５ｂｐが欠失したもの（配列番号１１）や、エキソン４５以降の領域が欠失したものも存在した。
【０１２０】
また、ｈｈ１０２１０のｃＤＮＡにおけるエキソン３２の変異やエキソン３５内の欠失が、ＡＢＣＡ−ＳＳＮ  ｃＤＮＡに普遍的なものかどうかを調べるため、ヒト胸腺ｃＤＮＡライブラリー（宝酒造株式会社製）をテンプレートとして、配列番号１５および１６に示す塩基配列のオリゴヌクレオチドプライマーを用いたＰＣＲを行い、エキソン３０〜３８の領域を増幅しクローン化した。これらのクローンについて塩基配列を解析した結果、解析した全てのクローンで、エキソン３２の塩基の変異は２ヶ所とも存在したが、エキソン３５の欠失は見られず、公知のＡＢＣＡ７  ｃＤＮＡの塩基配列と一致した。したがってＡＢＣＡ−ＳＳＮ  ｃＤＮＡのエキソン３２は、公知のＡＢＣＡ７  ｃＤＮＡとは異なり、ｈｈ１０２１０のｃＤＮＡと同じ塩基配列であるが、エキソン３５は公知のＡＢＣＡ７  ｃＤＮＡと同一であり欠失はないと考えられた。
【０１２１】
ｈｈ１０２１０のｃＤＮＡの塩基配列、ヒト胸腺ｃＤＮＡライブラリーをテンプレートにしたＰＣＲにより得られたエキソン３９以降の領域（配列番号１０）およびエキソン３０〜３８の領域のｃＤＮＡ断片の塩基配列から得られるＡＢＣＡ−ＳＳＮ  ｃＤＮＡの塩基配列を配列番号１に、配列番号１０の代わりにエキソン４５に一部欠失があるオルタナティブ・スプライシング体のｃＤＮＡ断片の塩基配列（配列番号１１）をもとにしたＡＢＣＡ−ＳＳＮ  ｃＤＮＡの塩基配列を配列番号４に示した。配列番号１および４に記載の塩基配列に存在するＡＢＣＡ７のイントロンの配列中にはＡＢＣＡ７の翻訳フレームと同一フレームでストップコドンが２ヶ所存在し、これらのストップコドンの下流に開始コドンが存在するために、これらのｃＤＮＡがコードするＡＢＣＡ−ＳＳＮポリペプチドは、ＡＢＣＡ７のＮ末端とは異なる２８アミノ酸の後にＡＢＣＡ７の１６７番目以降のアミノ酸配列がつながった２００８アミノ酸または１９９３アミノ酸からなるアミノ酸配列を有する。配列番号１中のポリペプチドをコードする領域の塩基配列を配列番号２に、配列番号２に記載の塩基配列がコードするポリペプチドのアミノ酸配列を配列番号３に、配列番号４中のポリペプチドをコードする領域の塩基配列を配列番号５に、配列番号５に記載の塩基配列がコードするポリペプチドのアミノ酸配列を配列番号６に示した。
【０１２２】
実施例２：ＡＢＣＡ７またはＡＢＣＡ−ＳＳＮのｍＲＮＡレベルでの発現解析
配列番号１７および１８に示す塩基配列のオリゴヌクレオチドプライマーを用いたＲＴ−ＰＣＲにより、ＡＢＣＡ７およびＡＢＣＡ−ＳＳＮ  ｃＤＮＡに共通する５’端部分のＤＮＡ断片を増幅した。このＤＮＡ断片を［α−３２Ｐ］ｄＣＴＰ（アマシャム・ファルマシア・バイオテク社製）およびランダムプライマーＤＮＡラベリングキット（宝酒造株式会社製）を用いて放射能標識したものをプローブにして、ヒトの種々の組織（副腎、膀胱、骨髄、脳、リンパ節、乳腺、前立腺、脊髄、胃、甲状腺、気管、子宮；脾臓、胸腺、前立腺、精巣、卵巣、小腸、大腸、末梢白血球）のｍＲＮＡをブロットしたフィルターであるＭＴＮブロット（Ｍｕｌｔｉｐｌｅ  Ｔｉｓｓｕｅ  Ｎｏｒｔｈｅｒｎ  Ｂｌｏｔ；  クローンテック社製）を用いてノーザンハイブリダイゼーションを行うことにより、各ヒト臓器におけるＡＢＣＡ７またはＡＢＣＡ−ＳＳＮのｍＲＮＡレベルでの発現量を調べた。その結果を図１Ａに示したが、ＡＢＣＡ７またはＡＢＣＡ−ＳＳＮのｍＲＮＡは、８〜９ｋｂの大きさであり、Ｋａｍｉｎｓｋｉらの報告［Ｂｉｏｃｈｅｍ．Ｂｉｏｐｈｙｓ．Ｒｅｓ．Ｃｏｍｍｕｎ．  ２７３，  ５３２  （２０００）］と同様に、骨髄リンパ系の組織である胸腺、リンパ節、骨髄、末梢白血球、脾臓に高い発現がみられ、特に胸腺では非常に高い発現を示した。また、脳と気管にも発現がみられた。
【０１２３】
ＡＢＣＡ−ＳＳＮタイプのみのｍＲＮＡレベルでの発現を検出するため、配列番号１９および２０に示す塩基配列のオリゴヌクレオチドプライマーを用いてＡＢＣＡ−ＳＳＮ  ｃＤＮＡにのみ存在するイントロン５中の３２２ｂｐのＤＮＡ断片を増幅した。上記と同様にして、このＤＮＡ断片をプローブにしてＭＴＮブロットを用いてノーザンハイブリダイゼーションを行った。この結果を図１Ｂに示したが、ＡＢＣＡ−ＳＳＮ  ｍＲＮＡの長さは同じく８〜９ｋｂであり、胸腺、リンパ節、骨髄、末梢白血球に高い発現がみられ、特に胸腺で非常に高い発現が見られた。また、脾臓と気管、脳に中レベルの発現がみられた。この発現分布は、上記で調べたＡＢＣＡ７またはＡＢＣＡ−ＳＳＮの発現分布とよく似ていた。したがって、ＡＢＣＡ−ＳＳＮタイプのｃＤＮＡは、たまたまイントロン５が残ってしまった異常なＡＢＣＡ７のｍＲＮＡからできたものではなく、骨髄リンパ系の組織では天然に、ＡＢＣＡ７ゲノム遺伝子［Ｋａｍｉｎｓｋｉ  ＷＥ  ｅｔ  ａｌ．，  Ｂｉｏｃｈｅｍ．Ｂｉｏｐｈｙｓ．Ｒｅｓ．Ｃｏｍｍｕｎ．  ２７８，  ７８２  （２０００）］のオルタナティブ・スプライシング（ａｌｔｅｒｎａｔｉｖｅ  ｓｐｌｉｃｉｎｇ）産物として、ＡＢＣＡ−ＳＳＮタイプのｍＲＮＡが存在することがわかった。
【０１２４】
さらに、各組織のＡＢＣＡ−ＳＳＮタイプとＡＢＣＡ７タイプのｍＲＮＡレベルでの発現を区別して解析するため、それぞれのタイプのｃＤＮＡで増幅ＤＮＡ断片の鎖長が異なる以下のようなＲＴ−ＰＣＲ解析を行った。具体的には、ＡＢＣＡ７またはＡＢＣＡ−ＳＳＮが発現している種々のヒト組織（脳、骨髄、リンパ節、胸腺、脾臓、気管）のポリＡ＋ＲＮＡ（クローンテック社製）からオリゴｄＴプライマーおよびスーパースクリプト・プレアンプリフィケーション・システム（ライフ・テクノロジーズ社製）を用いて１本鎖ｃＤＮＡを合成した後に、配列番号２１および２２に示す塩基配列のオリゴヌクレオチドプライマーを用いてＰＣＲ（サイクル数３０回）を行った。このＲＴ−ＰＣＲ解析では、ＡＢＣＡ７タイプのｍＲＮＡからは２６１ｂｐのＤＮＡ断片が、ＡＢＣＡ−ＳＳＮタイプのｍＲＮＡからは６０６ｂｐのＤＮＡ断片がそれぞれ増幅する。その結果を図２に示したが、調べた組織では骨髄を除く全ての組織で、ＡＢＣＡ７タイプではなく、ＡＢＣＡ−ＳＳＮタイプの方が主に発現していることがわかった。
【０１２５】
なお、エキソン４５の欠失の有無を調べるため、配列番号２３および２４に示す塩基配列のオリゴヌクレオチドプライマーを用いて、上記と同様に各組織についてＲＴ−ＰＣＲ解析を行ったところ、欠失していない場合の２４２ｂｐのＤＮＡ断片のみの増幅がみられ、欠失しているタイプで増幅する短いＤＮＡ断片は検出されなかったことから、大部分のＡＢＣＡ７およびＡＢＣＡ−ＳＳＮ  ｃＤＮＡはエキソン４５に欠失がないことが確認された。
【０１２６】
実施例３：ＡＢＣＡ−ＳＳＮおよびＡＢＣＡ７を認識する抗体の作製
（１）抗原ペプチドの作製
（１）−１  略号について
本発明において使用したアミノ酸およびその保護基に関する略号は、生化学命名に関するＩＵＰＡＣ−ＩＵＢ委員会（ＩＵＰＡＣ−ＩＵＢ  Ｊｏｉｎｔ  Ｃｏｍｍｉｓｓｉｏｎ  ｏｎ  Ｂｉｏｃｈｅｍｉｃａｌ  Ｎｏｍｅｎｃｌａｔｕｒｅ）の勧告［Ｅｕｒ．  Ｊ．  Ｂｉｏｃｈｅｍ．  １３８，  ９  （１９８４）］に従った。
【０１２７】
以下の略号は、特に断わらない限り対応する下記のアミノ酸を表す。
Ａｌａ：Ｌ−アラニン
Ａｓｐ：Ｌ−アスパラギン酸
Ａｓｘ：Ｌ−アスパラギン酸またはＬ−アスパラギン
Ａｒｇ：Ｌ−アルギニン
Ｃｙｓ：Ｌ−システイン
Ｇｌｎ：Ｌ−グルタミン
Ｇｌｕ：Ｌ−グルタミン酸
Ｇｌｘ：Ｌ−グルタミン酸またはＬ−グルタミン
Ｈｉｓ：Ｌ−ヒスチジン
Ｌｅｕ：Ｌ−ロイシン
Ｌｙｓ：Ｌ−リジン
Ｐｈｅ：Ｌ−フェニルアラニン
Ｐｒｏ：Ｌ−プロリン
Ｓｅｒ：Ｌ−セリン
Ｔｈｒ：Ｌ−スレオニン
Ｖａｌ：Ｌ−バリン
【０１２８】
以下の略号は、対応する下記のアミノ酸の保護基および側鎖保護アミノ酸を表す。
Ｆｍｏｃ：９−フルオレニルメチルオキシカルボニル
Ｂｏｃ：ｔ−ブチルオキシカルボニル
ｔＢｕ：ｔ−ブチル
Ｔｒｔ：トリチル
Ｐｍｃ：２，２，５，７，８−ペンタメチルクロマン−６−スルフォニル
Ｆｍｏｃ−Ａｒｇ（Ｐｍｃ）−ＯＨ：Ｎα−９−フルオレニルメチルオキシカルボニル−Ｎｇ−２，２，５，７，８−ペンタメチルクロマン−６−スルホニル−Ｌ−アルギニン
Ｆｍｏｃ−Ａｓｐ（ＯｔＢｕ）−ＯＨ：Ｎα−９−フルオレニルメチルオキシカルボニル−Ｌ−アスパラギン酸−β−ｔ−ブチルエステル
Ｆｍｏｃ−Ｃｙｓ（Ｔｒｔ）−ＯＨ：Ｎα−９−フルオレニルメチルオキシカルボニル−Ｓ−トリチル−Ｌ−システイン
Ｆｍｏｃ−Ｇｌｎ（Ｔｒｔ）−ＯＨ：Ｎα−９−フルオレニルメチルオキシカルボニル−Ｎε−トリチル−Ｌ−グルタミン
Ｆｍｏｃ−Ｇｌｕ（ＯｔＢｕ）−ＯＨ：Ｎα−９−フルオレニルメチルオキシカルボニル−Ｌ−グルタミン酸−γ−ｔ−ブチルエステル
Ｆｍｏｃ−Ｈｉｓ（Ｔｒｔ）−ＯＨ：Ｎα−９−フルオレニルメチルオキシカルボニル−Ｎｉｍ−トリチル−Ｌ−ヒスチジン
Ｆｍｏｃ−Ｌｙｓ（Ｂｏｃ）−ＯＨ：Ｎα−９−フルオレニルメチルオキシカルボニル−Ｎε−ｔ−ブチルオキシカルボニル−Ｌ−リジン
Ｆｍｏｃ−Ｓｅｒ（ｔＢｕ）−ＯＨ：Ｎα−９−フルオレニルメチルオキシカルボニル−Ｏ−ｔ−ブチル−Ｌ−セリン
Ｆｍｏｃ−Ｔｈｒ（ｔＢｕ）−ＯＨ：Ｎα−９−フルオレニルメチルオキシカルボニル−Ｏ−ｔ−ブチル−Ｌ−スレオニン
【０１２９】
以下の略号は、対応する下記の反応溶媒、反応試薬等を表す。
ＨＢＴＵ：２−（１Ｈ−ベンゾトリアゾール−１−イル）−１，１，３，３−テトラメチルウロニウム・ヘキサフルオロホスフェート
ＨＯＢｔ：Ｎ−ヒドロキシベンゾトリアゾール
ＤＩＥＡ：ジイソプロピルエチルアミン
ＤＭＦ：Ｎ，Ｎ−ジメチルホルムアミド
ＴＦＡ：トリフルオロ酢酸
【０１３０】
以下の実施例において、化合物の理化学的性質は次の方法により測定した。
質量分析は、日本電子ＪＭＳ−ＨＸ１１０Ａを用いＦＡＢ−ＭＳ法により、もしくはブルカー社質量分析装置ＲＥＦＬＥＸを用いＭＡＬＤＩ−ＴＯＦＭＳ法により行った。行った。アミノ酸分析は、コーエンらの方法［Ｃｏｈｅｎ  ＳＡ  ｅｔ  ａｌ．，  Ａｎａｌ．  Ｂｉｏｃｈｅｍ．  ２２２，  １９  （１９９４）］により行った。加水分解は塩酸蒸気中１１０℃で２０時間行い、加水分解物のアミノ酸組成はウォーターズ・アキュ・タグ（Ｗａｔｅｒｓ  ＡｃｃＱ−Ｔａｇ）アミノ酸分析計（ウォーターズ社製）を用い分析した。
【０１３１】
ＡＢＣＡ−ＳＳＮのアミノ酸配列を解析し、親水性の高い部分、Ｎ末端、Ｃ末端、二次構造上ターン構造、ランダムコイル構造を有する部分の中から、抗原として適当と考えられる部分配列としてＣ末端領域を選択し、抗原としてＡＢＣＡ−ＳＳＮのアミノ酸配列の１９８９〜２００８番目のアミノ酸配列のＮ末端にＣｙｓを付加したペプチドである化合物１（ｈＡＢＣＡ７−Ｃ、Ｈ−Ｃｙｓ−Ｇｌｎ−Ｈｉｓ−Ｐｒｏ−Ｌｙｓ−Ａｒｇ−Ｖａｌ−Ｓｅｒ−Ｇｌｎ−Ｐｈｅ−Ｌｅｕ−Ａｓｐ−Ａｓｐ−Ｐｒｏ−Ｓｅｒ−Ｔｈｒ−Ａｌａ−Ｇｌｕ−Ｔｈｒ−Ｖａｌ−Ｌｅｕ−ＯＨ）を合成することにした。化合物１のアミノ酸配列を配列番号２６に示した。
【０１３２】
（１）−２  化合物１（ｈＡＢＣＡ７−Ｃ）の合成
Ｆｍｏｃ−Ｌｅｕ  １８μｍｏｌが結合した担体樹脂（Ｗａｎｇ樹脂、ノバビオケム社製）３０ｍｇを自動合成機（島津製作所）の反応容器に入れ、６００μＬのＤＭＦを加えて３分間攪拌し溶液を排出した後、島津製作所の合成プログラムに従い次の操作を行った。
（ａ）３０％ピペリジン−ＤＭＦ溶液５００μＬを加えて混合物を４分間攪拌し、該溶液を排出し、この操作をもう１回繰り返した。
（ｂ）担体樹脂を６００μＬのＤＭＦで１分間洗浄し、該溶液を排出し、この操作を５回繰り返した。
（ｃ）Ｆｍｏｃ−Ｖａｌ−ＯＨ（１８０μｍｏｌ）、ＨＢＴＵ（１８０μｍｏｌ）、ＨＯＢｔ１水和物（１８０μｍｏｌ）およびＤＩＥＡ（５４０μｍｏｌ）をＤＭＦ（０．３６ｍｌ）中で３分間攪拌し、得られた溶液を樹脂に加えて混合物を６０分間攪拌し、溶液を排出した。
（ｄ）担体樹脂を６００μＬのＤＭＦで１分間洗浄後溶液を排出し、これを５回繰り返した。
こうして、Ｆｍｏｃ−Ｖａｌ−Ｌｅｕ  が担体上に合成された。
【０１３３】
次に、（ａ）および（ｂ）の工程の後、（ｃ）の工程でＦｍｏｃ−Ｔｈｒ（ｔＢｕ）−ＯＨを用いて縮合反応を行い、（ｄ）の洗浄工程を経て、Ｆｍｏｃ−Ｔｈｒ（ｔＢｕ）−Ｖａｌ−Ｌｅｕが担体上に合成された。
以下、工程（ｃ）において、Ｆｍｏｃ−Ｇｌｕ（ＯｔＢｕ）−ＯＨ、Ｆｍｏｃ−Ａｌａ−ＯＨ、Ｆｍｏｃ−Ｔｈｒ（ｔＢｕ）−ＯＨ、Ｆｍｏｃ−Ｓｅｒ（ｔＢｕ）−ＯＨ、Ｆｍｏｃ−Ｐｒｏ−ＯＨ、Ｆｍｏｃ−Ａｓｐ（ＯｔＢｕ）−ＯＨ、Ｆｍｏｃ−Ａｓｐ（ＯｔＢｕ）−ＯＨ、Ｆｍｏｃ−Ｌｅｕ−ＯＨ、Ｆｍｏｃ−Ｐｈｅ−ＯＨ、Ｆｍｏｃ−Ｇｌｎ（Ｔｒｔ）−ＯＨ、Ｆｍｏｃ−Ｓｅｒ（ｔＢｕ）−ＯＨ、Ｆｍｏｃ−Ｖａｌ−ＯＨ、Ｆｍｏｃ−Ａｒｇ（Ｐｍｃ）−ＯＨ、Ｆｍｏｃ−Ｌｙｓ（Ｂｏｃ）−ＯＨ、Ｆｍｏｃ−Ｐｒｏ−ＯＨ、Ｆｍｏｃ−Ｈｉｓ（Ｔｒｔ）−ＯＨ、Ｆｍｏｃ−Ｇｌｎ（Ｔｒｔ）−ＯＨ、Ｆｍｏｃ−Ｃｙｓ（Ｔｒｔ）−ＯＨを順次用いて、（ａ）〜（ｄ）を繰り返した後、（ａ）および（ｂ）の脱保護、洗浄工程を経て、メタノール、ブチルエーテルで順次洗浄し、減圧下１２時間乾燥して、側鎖保護ペプチドの結合した担体樹脂を得た。これに、ＴＦＡ（８２．５％）、チオアニソール（５％）、水（５％）、エチルメチルスルフィド（３％）、１，２−エタンジチオール（２．５％）およびチオフェノール（２％）からなる混合溶液１ｍＬを加えて室温で８時間放置し、側鎖保護基を除去するとともに樹脂よりペプチドを切り出した。樹脂を濾別後、得られた溶液にエーテル約１０ｍＬを加え、生成した沈澱を遠心分離およびデカンテーションにより回収し、粗ペプチドとして６１．３ｍｇを取得した。この粗生成物全量を酢酸水溶液に溶解後、逆相カラム（資生堂製、ＣＡＰＣＥＬＬ  ＰＡＫ  Ｃ１８  ３０ｍｍＩ．Ｄ．×２５０ｍｍ）を用いたＨＰＬＣで精製した。０．１％ＴＦＡ水溶液に、ＴＦＡ０．１％を含む９０％アセトニトリル水溶液を加えていく直線濃度勾配法で溶出し、２２０ｎｍで検出し、化合物１を含む画分を得た。この画分を凍結乾燥して、化合物１を１６．１ｍｇ得た。
【０１３４】
質量分析［ＴＯＦＭＳ］；ｍ／ｚ＝２３７１．５（Ｍ＋Ｈ＋）
アミノ酸分析；Ａｓｘ    １．９（２），Ｇｌｘ    ３．１（１），Ｓｅｒ    １．９（２），Ｈｉｓ    １．１（１），Ａｒｇ    １．０（１），Ｔｈｒ    ２．１（２），Ａｌａ    １．０（１），Ｐｒｏ    ２．０（２），Ｖａｌ    １．９（２），Ｌｅｕ    ２．０（２），Ｐｈｅ    １．０（１），Ｌｙｓ    １．１（１），Ｃｙｓ    １．４（１）
【０１３５】
（２）免疫原の調製
実施例１（１）で得られた化合物１は、免疫原性を高める目的で以下の方法でＫＬＨ（カルビオケム社）とのコンジュゲートを作製し、免疫原とした。すなわち、ＫＬＨをＰＢＳに溶解して１０ｍｇ／ｍＬに調整し、１／１０容量の２５ｍｇ／ｍＬ    Ｎ−（ｍ−マレイミドベンゾイルオキシ）スクシンイミド（ＭＢＳ；ナカライテスク社）を滴下して３０分撹拌反応させた。あらかじめＰＢＳで平衡化したセファデックスＧ−２５カラムなどのゲルろ過カラムでフリーのＭＢＳを除いて得られたＫＬＨ−ＭＢＳ  ２．５ｍｇを０．１Ｍりん酸ナトリウムバッファー（ＰＨ７．０）に溶解した化合物１（１ｍｇ）と混合し、室温で３時間、攪拌反応させた。反応後、ＰＢＳで透析したものを免疫原として用いた。
【０１３６】
（３）動物の免疫、ポリクローナル抗体の作製
実施例１（２）で作製した化合物１−ＫＬＨコンジュゲート２００μｇをフロイントの完全アジュバント（ヤトロン社）とともに日本白色種（ＳＰＦ）２１週令雌ウサギ２匹に投与した。投与２週間後より、化合物１−ＫＬＨコンジュゲート２００μｇをフロインドの完全アジュバントとともに１週間に１回、計５回投与した。該ウサギより部分採血し、その血清抗体価を以下（４）に示す酵素免疫測定法（バインディングＥＬＩＳＡ）で調べ、十分な抗体価を示したウサギから全採血を行い抗血清を得た。
この抗血清からカプリル酸沈殿法［Ａｎｔｉｂｏｄｉｅｓ  −  Ａ  Ｌａｂｏｒａｔｏｒｙ  Ｍａｎｕａｌ，  Ｃｏｌｄ  Ｓｐｒｉｎｇ  Ｈａｒｂｏｒ  Ｌａｂｏｒａｔｏｒｙ，  （１９８８）］によりＩｇＧ画分を精製し、ポリクローナル抗体を得た。
【０１３７】
（４）酵素免疫測定法（バインディングＥＬＩＳＡ）
アッセイ用の抗原には（１）で得られた化合物１をチログロブリン（以下、ＴＨＹと略す。）とコンジュゲートしたものを用いた。作製方法は（２）に記した通りであるが、架橋剤にはＭＢＳの代わりに４−（Ｎ−マレイミドメチル）−シクロヘキサン−１−カルボン酸  Ｎ−ヒドロキシスクシンイミドエステル（ＳＭＣＣ、シグマ社）を用いた。９６穴のＥＩＡ用プレート（グライナー社）に、上記のように調製したコンジュゲートを５μｇ／ｍＬ、５０μＬ／穴で分注し、４度で一晩放置して吸着させた。該プレートを洗浄後、１％牛血清アルブミン（ＢＳＡ）／ＰＢＳを１００μＬ／穴加え、室温で１時間放置し、残っている活性基をブロックした。
【０１３８】
放置後、１％ＢＳＡ／ＰＢＳを捨て、該プレートに一次抗体として被免疫ウサギ抗血清を５０μＬ／穴分注し、２時間放置した。該プレートを０．０５％ポリオキシエチレン（２０）ソルビタンモノラウレート［（ＩＣＩ社商標Ｔｗｅｅｎ２０相当品：和光純薬社製）］／ＰＢＳ（以下Ｔｗｅｅｎ−ＰＢＳと表記）で洗浄後、２次抗体としてペルオキシダーゼ標識ブタ抗ウサギイムノグロブリン（ＤＡＫＯ社）を５０μＬ／穴加えて室温、１時間放置した。該プレートをＴｗｅｅｎ−ＰＢＳで洗浄後、ＡＢＴＳ基質液［２．２−アジノビス（３−エチルベンゾチアゾール−６−スルホン酸）アンモニウム、１ｍｍｏｌ／Ｌ  ＡＢＴＳ／０．１ｍｏｌ／Ｌクエン酸バッファー（ｐＨ４．２）］を添加し、発色させ４１５ｎｍの吸光度をプレートリーダー［Ｅｍａｘ、モレキュラー・デバイス（Ｍｏｌｅｃｕｌａｒ  Ｄｅｖｉｃｅｓ）社製］を用いて測定した。
【０１３９】
（５）ポリクローナル抗体の反応性の検討
上記（４）に示したバインディングＥＬＩＳＡにより、（３）で得られたポリクローナル抗体の抗原ペプチドに対する反応性を検討した。一次抗体としてポリクローナル抗体（１０μｇ／ｍＬから１０倍ずつ段階希釈したもの）を用いた。結果を図３に示した。ポリクローナル抗体は抗原ペプチドと特異的に反応した。
【０１４０】
実施例４：ＡＢＣＡ−ＳＳＮの動物細胞での発現
（１）ｐＡＢＣＡ−ＳＳＮ／ＣＲ２．１の作製
配列番号２に示すＡＢＣＡ−ＳＳＮをコードするＤＮＡを含むプラスミドｐＡＢＣＡ−ＳＳＮ／ＣＲ２．１を以下のようにして作製した（図４、５）。ｈｈ１０２１０は、エキソン４０より下流の３’側、およびエキソン３５の一部５４ｂｐが欠失しているので、ヒト胸腺ｃＤＮＡライブラリー（宝酒造株式会社製）をテンプレートＤＮＡにして、まずＡＢＣＡ−ＳＳＮのＣ末端側の断片を以下のようにして増幅した。反応液［テンプレートＤＮＡ１μｌ、２５ｎｍｏｌ／ｌ  ＭｇＣｌ２  ５μｌ、ｄＮＴＰ混合物（ｄＡＴＰ、ｄＧＴＰ、ｄＣＴＰ、ｄＴＴＰをそれぞれ２．５ｍｍｍｏｌ／ｌの濃度で含む混合物）４μｌ、１０μｍｏｌ／ｌプライマー２７（配列番号２７）  ２μｌ、１０μｍｏｌ／ｌプライマー２８（配列番号２８）  ２μｌ、滅菌水３５．５μｌ、ＬＡ  Ｔａｑ（宝酒造社製）０．５μｌ］を調製し、サーマルサイクラーを用いて、９４℃で３分間加熱後、９４℃で４５秒、６５℃で３０秒、７２℃で１分の反応サイクルを３０サイクル繰り返し、最後に７２℃で１０分間加熱し、４℃に置いた。このＰＣＲにより配列番号２の４０６０〜６０２４番目の配列の３’側にストップコドン（ＴＧＡ）およびＨｉｎｄＩＩＩサイトが付加された配列を有するＤＮＡ断片が増幅する。該増幅断片をＴＡクローニング法によりｐＣＲ２．１（インビトロジェン社製）に挿入した。得られたプラスミド（ｐＣＲ２．１／ＰＣＲ４）をｐＣＲ２．１上のＮｏｔＩサイトおよび増幅断片中のＢｓｔＺ１７Ｉサイトで切断して、約１．１ｋｂの断片を単離し、ｈｈ１０２１０（ベクターｐＢｌｕｅｓｃｒｉｐｔ  ＳＫＩＩ（＋））のＮｏｔＩおよびＢｓｔＺ１７Ｉサイト間に挿入し、ｈｈ１０２１０／ＰＣＲ４を作製した。
【０１４１】
次にＡＢＣＡ−ＳＳＮのエキソン３５の欠失部分を含む断片をＰＣＲにより増幅した。反応液のプライマー２７、プライマー２８のかわりにプライマー２９（配列番号２９）、プライマー３０（配列番号３０）を用いる以外は反応条件は上記と同様にして行った。得られた増幅断片（配列番号２の３０６０〜５０２７番目の配列に相当する）をＴＡクローニングによりｐｃＲ２．１にクローニングした。得られたプラスミド（ｐＣＲ２．１／ＰＣＲ３）を、増幅断片上のＳｐｈＩサイト、ＢｃｌＩサイトで切断して得られた約２４０ｂｐの断片をｈｈｐ１０２１０／ＰＣＲ４のＳｐｈＩ／ＢｃｌＩサイト間に挿入し、ｈｈ１０２１０／ＰＣＲ４＋３を作製した。
【０１４２】
ＡＢＣＡ−ＳＳＮに特異的なＮ末端を含む領域をコードする断片をＰＣＲにより増幅した。反応液のプライマー２７、プライマー２８のかわりにプライマー３１（配列番号３１）、３２（配列番号３２）を用いる以外は反応条件は上記と同様にして行った。このＰＣＲにより配列番号２の１〜９１８番目の配列の５’側にＥｃｏＲＩサイトが付加された配列を有するＤＮＡ断片が増幅する。得られた増幅断片をＴＡクローニングによりｐｃＲ２．１にクローニングした。ＡＢＣＡ−ＳＳＮ上にはＣｌａＩサイトが存在するので、得られたプラスミド（ｐＣＲ２．１／ＰＣＲ２）のＣｌａＩサイト／ＮｏｔＩサイト間にｈｈ１０２１０／ＰＣＲ４＋３のＣｌａＩ−ＮｏｔＩ断片（ＣｌａＩサイトより下流のＡＢＣＡ−ＳＳＮ断片を含む）を挿入することによりｐＡＢＣＡ−ＳＳＮ／ＣＲ２．１を作製した。
【０１４３】
また、ＡＢＣＡ７に特異的なＮ末端を含む領域をコードする断片をＰＣＲにより増幅した。ヒト胎盤ｃＤＮＡライブラリー（クローンテック社製）をテンプレートＤＮＡにして、反応液［テンプレートＤＮＡ５μｌ、２５ｎｍｏｌ／ｌ  ＭｇＣｌ２  ５μｌ、ｄＮＴＰ混合物４μｌ、１０μｍｏｌ／ｌプライマー３３（配列番号３３）  ２μｌ、１０μｍｏｌ／ｌプライマー３２（配列番号３２）  ２μｌ、滅菌水３１．５μｌ、ＬＡ  Ｔａｑ０．５μｌ］を調製し、サーマルサイクラーを用いて、９４℃で３分間加熱後、９４℃で４５秒、６２℃で３０秒、７２℃で１分の反応サイクルを３０サイクル繰り返し、最後に７２℃で１０分間加熱して反応を行い、４℃に置いた。このＰＣＲによりＡＢＣＡ７のｃＤＮＡの配列（ＧｅｎＢａｎｋアクセッション番号：ＡＦ２５０２３８）の１〜１３３２番目の配列の５’側にＥｃｏＲＩサイトが付加された配列を有するＤＮＡ断片が増幅する。得られた増幅断片をＴＡクローニングによりｐｃＲ２．１にクローニングした。得られたプラスミドのＣｌａＩサイト／ＮｏｔＩサイト間にｈｈ１０２１０／ＰＣＲ４＋３のＣｌａＩ−ＮｏｔＩ断片（ＣｌａＩサイトより下流のＡＢＣＡ−ＳＳＮおよびＡＢＣＡ７に共通の領域を含む）を挿入することによりｐＡＢＣＡ７／ＣＲ２．１を作製した。
【０１４４】
（２）動物細胞発現用ベクターｐＣＭＶ６ｃＡＢＣＡ−ＳＳＮの作製
上記で得られたｐＡＢＣＡ−ＳＳＮ／ＣＲ２．１およびｐＡＢＣＡ７／ＣＲ２．１をそれぞれＥｃｏＲＩで切断して、ＡＢＣＡ−ＳＳＮあるいはＡＢＣＡ７をコードするＤＮＡを含む断片を単離し、動物細胞発現ベクターｐＣＭＶ６ｃ［ＡＴＣＣ番号：８７７８２、Ａｎｄｅｒｓｓｏｎ  Ｓ  ｅｔ  ａｌ．，  Ｊ．  Ｂｉｏｌ．  Ｃｈｅｍ．  ２６４，  ８２２２  （１９８９）］のＥｃｏＲＩサイトに挿入することにより、ｐＣＭＶ６ｃＡＢＣＡ−ＳＳＮおよびｐＣＭＶ６ｃＡＢＣＡ７を作製した（図６）。
【０１４５】
（３）動物細胞への発現ベクターの導入
（２）で作製したｐＣＭＶ６ｃＡＢＣＡ−ＳＳＮおよびｐＣＭＶ６ｃＡＢＣＡ７を含む大腸菌から、それぞれのプラスミドＤＮＡをコンサート核酸精製システム（ＣＯＮＣＥＲＴ  Ｎｕｃｌｅｉｃ  Ａｃｉｄ  Ｐｕｒｉｆｉｃａｔｉｏｎ  Ｓｙｓｔｅｍ、インビトロジェン社製）により調製した。
【０１４６】
１×１０６個のヒト胎児腎由来の細胞株ＨＥＫ２９３（ＡＴＣＣ番号：ＣＲＬ−１５７３）を１０ｃｍ径培養用シャーレにまき、２４時間後培養したリポフェクトアミン・プラス（ＬｉｐｏｆｅｃｔＡＭＩＮＥ  ＰＬＵＳ、インビトロジェン社製、リポフェクトアミンおよびプラス試薬からなる）を用いてリポフェクション法によりＤＮＡを細胞に導入した。リポフェクション法は、以下のようにして行った。まずＤＮＡ５μｇ、リポフェクトアミン２８μｌ、血清を含まないＯＰＴＩ−ＭＥＭ（インビトロジェン社製）７００μｌを室温で１５分インキュベートした。これとは別に、プラス試薬２０μｌと血清を含まないＯＰＴＩ−ＭＥＭ７００μｌを室温で１５分インキュベートした。両者を混ぜさらに室温で１５分インキュベートした。ＨＥＫ２９３細胞をまいて培養したシャーレをＯＰＴＩ−ＭＥＭで洗浄した後、５ｍｌのＯＰＴＩ−ＭＥＭを添加し、上記の混合液を添加し、３時間培養した。１０％ウシ胎児血清を含むＤＭＥＭに培地を交換し、さらに３７℃で４０時間培養した。
【０１４７】
（４）膜画分の調製とウェスタンブロッティングによるポリペプチドの検出
それぞれの発現ベクターを導入した細胞を氷冷したＰＢＳで洗浄し、氷冷した懸濁用緩衝液（１０ｍｍｏｌ／ｌ  Ｔｒｉｓ−ＨＣｌ（ｐＨ７．５）、１ｍｍｏｌ／ｌ  ＥＤＴＡ、２５ｍｍｏｌ／ｌショ糖）１ｍｌを加えて細胞を掻き取った。細胞を１０００ｒｐｍ、４℃で５分間遠心し、上清を除き、沈殿物を２ｍｌのプロテアーゼ阻害剤−懸濁用緩衝液（１００μｇ／ｍｌ  ｐＡＰＳＭＦ、１０μｇ／ｍｌロイペプチン、２μｇ／ｌアプロチニンを含む懸濁用緩衝液）に懸濁した。４℃で、コンテスミニボンベ細胞破砕器［キンブル／コンテス（ＫＩＭＢＬＥ／ＫＯＮＴＥＳ）社製］を用いたＮ２キャビテーション（窒素ガスで４０ｋｇ／ｃｍ２の圧力を５分間かけた後、大気圧に戻す。）により細胞破砕を行った。細胞破砕液を４℃で１０００ｒｐｍ、１０分間遠心分離し、上清を回収した。上清を４℃で１３０００ｒｐｍ、３０分間遠心分離し、上清を除いた。得られた沈殿を５０μｌのプロテアーゼ阻害剤−懸濁用緩衝液に懸濁し、膜画分とした。
膜画分の蛋白質濃度を測定し、蛋白質５μｇ分の膜画分をサンプルとして７％ゲルでＳＤＳ−ポリアクリルアミドゲル電気泳動を行った。ＰＶＤＦ膜（ミリポア社製）に、２００ｍＡで１時間電気的にトランスファーした後、１次抗体として２０００倍希釈した抗ＡＢＣＡ７Ｃ末ペプチド抗体、２次抗体として５０００倍希釈したホースラディッシュパーオキシダーゼ標識抗ウサギＩｇＧ抗体（ヤギ）［バイオラッド（Ｂｉｏ−Ｒａｄ）社製］を反応させ、ＥＣＬ検出試薬（アマシャム・ファルマシア・バイオテク社製）を用いて、膜画分中のＡＢＣＡ−ＳＳＮおよびＡＢＣＡ７を検出した。図７に示すように、ＡＢＣＡ−ＳＳＮおよびＡＢＣＡ７とも細胞膜上に発現していることがわかった。
【０１４８】
参考例１：ＡＢＣＡ７の部分断片を認識する抗体の作製
ＡＢＣＡ７の細胞外第１ループと考えられる４５〜５４９番目のアミノ酸配列を有する部分断片［以下、ＡＢＣＡ７（４５−５４９）と略記する。］に対する抗体を以下のようにして作製した。
【０１４９】
（１）免疫原の調製
ＰＣＲにより、ＡＢＣＡ７のｃＤＮＡの配列（ＧｅｎＢａｎｋアクセッション番号：ＡＦ２５０２３８）の１３５〜１６４７番目の配列の５’側にＥｃｏＲＩサイト、３’側にＳａｌＩサイトが付加された配列を有するＤＮＡ断片を増幅し、ベクターｐＧＥＸ−４Ｔ−３（アマシャム・ファルマシア・バイオテク社製）のＥｃｏＲＩ、ＳａｌＩサイト間に挿入し、グルタチオン−Ｓ−トランスフェラーゼ（ＧＳＴ）のＣ末にＡＢＣＡ７（４５−５４９）を融合させた融合蛋白質を発現させるベクターを作製した。
【０１５０】
得られたベクターでＥｓｃｈｅｒｉｃｈｉａ ｃｏｌｉ  ＢＬ２１株（アマシャム・ファルマシア・バイオテク社製）を形質転換し、５０μｇ／ｍｌアンピシリンを含むＬＢ培地で３７℃で６００ｎｍの光学濃度が０．５になるまで、約２時間培養した。ＩＰＴＧを最終濃度１ｍｍｏｌ／ｌになるように加え、３０℃で３時間培養し、融合蛋白質の発現誘導を行った。
【０１５１】
４℃で５０００ｒｐｍ、５分間で遠心分離することにより集菌し、菌体を１００μｇ／ｍｌのｐＡＰＳＭＳＦを含むＰＢＳ１０ｍｌに懸濁した。超音波破砕機［マイソニックス（ＭＩＳＯＮＩＸ）社製］で、５秒間超音波破砕、５秒間静止を繰り返し、合計２分４０秒間超音波破砕を行った。菌体の破砕液を４℃で９５００ｒｐｍ、１０分間遠心分離して、上清を回収した。上清に５０％スラリーのグルタチオンセファロース４Ｂビーズ（アマシャム・ファルマシア・バイオテク社製）１００μｌｌおよびトリトン（Ｔｒｉｔｏｎ）Ｘ−１００を最終濃度１％になるように加え、４℃で１時間回転させながらインキュベートし、ビーズに融合蛋白質を結合させた。４℃で３００ｒｐｍ、３分間遠心分離して、ビーズを回収した。１％トリトンＸ−１００を含むＰＢＳでビーズを３回洗浄した後、ビーズと等量の溶出用緩衝液（１０ｍｍｏｌ／ｌ還元型グルタチオン、５０ｍｍｏｌ／ｌＴｒｉｓ−ＨＣｌ（ｐＨ８．０）を加え、４℃で１時間インキュベートし、ビーズから融合蛋白質を溶出させた。４℃で１２０００ｒｐｍ、５秒間遠心分離し、上清を回収した。この操作は２回繰り返し、完全にビーズを除去した。
【０１５２】
（２）動物の免疫およびポリクローナル抗体の作製
（１）で得られたＧＳＴとＡＢＣＡ７（４５−５４９）の融合蛋白質（分子量約８０ｋＤａ）５０μｇを水酸化アルミニウムアジュバント［Ａｎｔｉｂｏｄｉｅｓ  −  Ａ  Ｌａｂｏｒａｔｏｒｙ  Ｍａｎｕａｌ，  Ｃｏｌｄ  Ｓｐｒｉｎｇ  Ｈａｒｂｏｒ  Ｌａｂｏｒａｔｏｒｙ，  ９９  （１９８８）］２ｍｇおよび百日咳ワクチン（千葉県血清研究所製）１×１０９細胞とともに４週令雌ＳＤラット３匹に投与した。投与２週間後より、ＧＳＴとＡＢＣＡ７（４５−５４９）の融合蛋白質５０μｇを１週間に１回、計３回投与した。該ラットより部分採血し、その血清抗体価を実施例３（４）と同様の酵素免疫測定法（バインディングＥＬＩＳＡ）で調べ、十分な抗体価を示したラットから全採血を行い抗血清を得た。ただし、アッセイ用の抗原には（１）で得られたＧＳＴとＡＢＣＡ７（４５−５４９）の融合蛋白質、およびＧＳＴを用い、一次抗体としては得られた被免疫ラット抗血清を、２次抗体としてペルオキシダーゼ標識ウサギ抗ラットイムノグロブリン（ＤＡＫＯ社）を用いた。
この抗血清からカプリル酸沈殿法［Ａｎｔｉｂｏｄｉｅｓ  −  Ａ  Ｌａｂｏｒａｔｏｒｙ  Ｍａｎｕａｌ，  Ｃｏｌｄ  Ｓｐｒｉｎｇ  Ｈａｒｂｏｒ  Ｌａｂｏｒａｔｏｒｙ，  （１９８８）］によりＩｇＧ画分を精製し、ポリクローナル抗体を得た。
【０１５３】
（３）ポリクローナル抗体の反応性の検討
（２）と同様の酵素免疫測定法（バインディングＥＬＩＳＡ）したがって、（１）で得られたポリクローナル抗体の反応性の検討行なった。１次抗体には実施例（２）で得られたポリクローナル抗体を１０μｇ／ｍＬから１０倍希釈で使用した。結果は図８に示した。ポリクローナル抗体はＧＳＴに交差反応を示すものの、抗原であるＧＳＴとＡＢＣＡ７（４５−５４９）の融合蛋白質に強く反応した。
【０１５４】
【発明の効果】
本発明によりＡＢＣＡ−ＳＳＮポリペプチド、該ポリペプチドをコードするポリヌクレオチド、該ポリぺプチドを認識する抗体が提供され、これらを利用することにより自己免疫疾患、シェーグレン病、炎症性疾患、脂質代謝の異常疾患、動脈硬化の診断薬や予防薬、治療薬の開発が可能となる。
【０１５５】
【配列表フリーテキスト】
配列番号１３−ｐＡＰ３ｎｅｏベクター用のリバースプライマー
配列番号２６−１９８９−２００８番目の残基のＮ末にシステイン残基を付加したＡＢＣＡ−ＳＳＮのＣ末ペプチド
配列番号２８−配列番号２の４０６０−６０２４番目を増幅し、その３’末にストップコドンとＨｉｎｄＩＩＩサイトを付加するためのリバースプライマー
配列番号３１−配列番号２の１−９１８番目を増幅し、その５’末にＥｃｏＲＩサイトを付加するためのフォワードプライマー
配列番号３３−ＡＢＣＡ７  ｃＤＮＡの１−１３３２番目を増幅し、その５’末にＥｃｏＲＩサイトを付加するためのフォワードプライマー
【０１５６】
【配列表】
2005021001.tif 000002
【０１５７】
2005021001.tif 000003
2005021001.tif 000004
2005021001.tif 000005
2005021001.tif 000006
2005021001.tif 000007
2005021001.tif 000008
2005021001.tif 000009
2005021001.tif 000010
2005021001.tif 000011
2005021001.tif 000012
2005021001.tif 000013
2005021001.tif 000014
2005021001.tif 000015
2005021001.tif 000016
【０１５８】
2005021001.tif 000017
2005021001.tif 000018
2005021001.tif 000019
2005021001.tif 000020
2005021001.tif 000021
2005021001.tif 000022
2005021001.tif 000023
2005021001.tif 000024
2005021001.tif 000025
2005021001.tif 000026
2005021001.tif 000027
2005021001.tif 000028
2005021001.tif 000029
2005021001.tif 000030
【０１５９】
2005021001.tif 000031
2005021001.tif 000032
2005021001.tif 000033
2005021001.tif 000034
2005021001.tif 000035
2005021001.tif 000036
2005021001.tif 000037
2005021001.tif 000038
2005021001.tif 000039
【０１６０】
2005021001.tif 000040
2005021001.tif 000041
2005021001.tif 000042
2005021001.tif 000043
2005021001.tif 000044
2005021001.tif 000045
2005021001.tif 000046
2005021001.tif 000047
2005021001.tif 000048
2005021001.tif 000049
2005021001.tif 000050
2005021001.tif 000051
2005021001.tif 000052
2005021001.tif 000053
【０１６１】
2005021001.tif 000054
2005021001.tif 000055
2005021001.tif 000056
2005021001.tif 000057
2005021001.tif 000058
2005021001.tif 000059
2005021001.tif 000060
2005021001.tif 000061
2005021001.tif 000062
2005021001.tif 000063
2005021001.tif 000064
2005021001.tif 000065
2005021001.tif 000066
2005021001.tif 000067
【０１６２】
2005021001.tif 000068
2005021001.tif 000069
2005021001.tif 000070
2005021001.tif 000071
2005021001.tif 000072
2005021001.tif 000073
2005021001.tif 000074
2005021001.tif 000075
2005021001.tif 000076
【０１６３】
2005021001.tif 000077
2005021001.tif 000078
2005021001.tif 000079
2005021001.tif 000080
【０１６４】
2005021001.tif 000081
【０１６５】
2005021001.tif 000082
【０１６６】
2005021001.tif 000083
【０１６７】
2005021001.tif 000084
【０１６８】
2005021001.tif 000085
【０１６９】
2005021001.tif 000086
【０１７０】
2005021001.tif 000087
【０１７１】
2005021001.tif 000088
【０１７２】
2005021001.tif 000089
【０１７３】
2005021001.tif 000090
【０１７４】
2005021001.tif 000091
【０１７５】
2005021001.tif 000092
【０１７６】
2005021001.tif 000093
【０１７７】
2005021001.tif 000094
【０１７８】
2005021001.tif 000095
【０１７９】
2005021001.tif 000096
【０１８０】
2005021001.tif 000097
【０１８１】
2005021001.tif 000098
2005021001.tif 000099
2005021001.tif 000100
2005021001.tif 000101
2005021001.tif 000102
2005021001.tif 000103
2005021001.tif 000104
2005021001.tif 000105
2005021001.tif 000106
2005021001.tif 000107
【０１８２】
2005021001.tif 000108
【０１８３】
2005021001.tif 000109
【０１８４】
2005021001.tif 000110
【０１８５】
2005021001.tif 000111
【０１８６】
2005021001.tif 000112
【０１８７】
2005021001.tif 000113
【０１８８】
2005021001.tif 000114
【０１８９】
2005021001.tif 000115
【図面の簡単な説明】
【図１】図１は、各種ヒト組織におけるｍＲＮＡレベルでのＡＢＣＡ７またはＡＢＣＡ−ＳＳＮの発現を調べたノーザンハイブリダイゼーションの結果を示す図である。ＡはＡＢＣＡ７タイプ、ＡＢＣＡ−ＳＳＮタイプの両者に共通する配列を含むプローブ、ＢはＡＢＣＡ−ＳＳＮタイプに特異的なプローブ用いた結果である。それぞれ左はヒト１２レーンＭＴＮブロットＩＩ（ｍＲＮＡ源は左より、副腎、膀胱、骨髄、脳、リンパ節、乳腺、前立腺、脊髄、胃、甲状腺、気管、子宮）、右はヒトＭＴＮブロットＩＩ（ｍＲＮＡ源は左より、脾臓、胸腺、前立腺、精巣、卵巣、小腸、大腸、末梢白血球）での結果を示す。右の数値はｍＲＮＡの鎖長マーカー（ｋｂ）の位置を示す。
【図２】図２は、各種ヒト組織におけるＡＢＣＡ７タイプ、ＡＢＣＡ−ＳＳＮタイプそれぞれのｍＲＮＡに対して同時にしかも断片の大きさで区別して増幅できるプライマーを用いたＲＴ−ＰＣＲの結果を示す図である。左から、ＡＢＣＡ７コントロール、ＡＢＣＡ−ＳＳＮコントロール、脳、骨髄、リンパ節、胸腺、脾臓、気管での結果を示す。
【図３】図３は、ＡＢＣＡ−ＳＳＮおよびＡＢＣＡ７のＣ末端ペプチド（ＡＢＣＡ７−Ｃ、化合物１）を免疫原としたウサギ抗血清の、化合物１に対する反応性を測定するバインディングＥＬＩＳＡの結果を示す図である。横軸は抗体濃度、縦軸は４１５ｎｍでの吸光度を示す。■はＴＨＹ−化合物１をアッセイ抗原とした場合、□はＴＹＨ−コントロールペプチドをアッセイ抗原とした場合の結果を示す。
【図４】図４は、ｐＣＲ２．１／ＰＣＲ１、ｐＣＲ２．１／ＰＣＲ２、ｐＣＲ２．１／ＰＣＲ３、ｐＣＲ２．１／ＰＣＲ４にサブクローニングする、ＡＢＣＡ−ＳＳＮおよびＡＢＣＡ７のｃＤＮＡ断片のＰＣＲによる増幅の位置および制限酵素サイトを示す模式図である。各ボックスは各ｃＤＮＡのＡＢＣＡ−ＳＳＮおよびＡＢＣＡ７をコードする領域を示す。斜線のボックスは、ＡＢＣＡ−ＳＳＮに特異的なＮ末端領域をコードする部分を、点で埋めたボックスはＡＢＣＡ７に特異的なＮ末端領域をコードする部分を示す。矢印はＰＣＲに用いたプライマー、ＰＣＲ１、ＰＣＲ２、ＰＣＲ３、ＰＣＲ４は各プラスミドにサブクローニングした増幅断片を示す。黒いボックスはストップコドンを示す。
【図５】図５は、ｐＡＢＣＡ−ＳＳＮ／ＣＲ２．１、ｐＡＢＣＡ７／ＣＲ２．１の作製工程を示す図である。
【図６】図６は、ｐＣＭＶ６ｃＡＢＣＡ−ＳＳＮの構造を示す図である。ｈＧＨ  ｐｏｌｙＡは、ヒト成長ホルモン遺伝子の転写終止およびポリアデニレーションシグナルの領域、ＳＶ４０  ｏｒｉはＳＶ４０の複製開始点および初期遺伝子のエンハンサー配列を含む領域、Ａｍｐはアンピシリン耐性遺伝子、ｆ１  ｏｒｉはｆ１ファージの複製開始点を示す。
【図７】図７は、ＨＥＫ２９３細胞で発現させたＡＢＣＡ−ＳＳＮおよびＡＢＣＡ−７の抗ｈＡＢＣＡ７−Ｃポリクローナル抗体による検出を示す図である。レーン１は発現ベクターを導入していないＨＥＫ２９３細胞、レーン２はＡＢＣＡ−７発現ベクターを導入したＨＥＫ２９３細胞、レーン３はＡＢＣＡ−ＳＳＮ発現ベクターを導入したＨＥＫ２９３細胞の膜画分をサンプルとしたウェスタンブロッティングの結果を示す。左の数字は分子量マーカーの位置を示す。
【図８】図８は、ＧＳＴとＡＢＣＡ７（４５−５４９）の融合蛋白質を免疫原としたウサギ抗血清の、融合蛋白質に対する反応性を測定するバインディングＥＬＩＳＡの結果を示す図である。横軸は抗体濃度、縦軸は４１５ｎｍでの吸光度を示す。■は融合蛋白質をアッセイ抗原とした場合、□はＧＳＴをアッセイ抗原とした場合の結果を示す。
【図１】
2005021001.tif 000116
【図２】
2005021001.tif 000117
【図３】
2005021001.tif 000118
【図４】
2005021001.tif 000119
【図５】
2005021001.tif 000120
【図６】
2005021001.tif 000121
【図７】
2005021001.tif 000122
【図８】
2005021001.tif 000123